(57)【要約】【課題】高い精度で光軸補正レンズ群を調芯することのできるレンズ鏡胴を提供する。【解決手段】レンズ鏡胴１３は、光軸補正レンズ群（３５）を保持するレンズ保持部（４５）と、そのレンズ保持部を内側で支持する支持部（４６）と、レンズ保持部の撮影光軸ＯＡに直交する方向での位置を調整するレンズ調芯機構６０と、を備える。レンズ調芯機構６０は、調整方向Ｄａでレンズ保持部を挟んで支持する繰出機構部６１と押圧機構部６２とを有し、繰出機構部６１は、レンズ保持部を支持する支持位置を調整方向Ｄａで変位自在であり、押圧機構部６２は、調整方向Ｄａで変位可能に支持部に設けられた変位部材（７１）と、変位部材に調整方向Ｄａで調整押圧力Ｆａを付与する調整押圧部材（７２）と、を有し、その調整押圧部材は、調整押圧力Ｆａとともに、調整方向Ｄａに直交する方向で変位部材を支持部へと押し当てる拘束押圧力Ｆｒを変位部材に付与する。【選択図】図１３
2014010213.tif 000002
【特許請求の範囲】
【請求項１】
少なくとも１枚以上のレンズからなる光軸補正レンズ群が設けられたレンズ鏡胴であって、
前記光軸補正レンズ群を保持するレンズ保持部と、撮影光軸に直交する方向へと移動可能に該レンズ保持部を内側で支持する支持部と、該支持部に対する前記レンズ保持部の撮影光軸に直交する方向での位置を調整するレンズ調芯機構と、を備え、
該レンズ調芯機構は、撮影光軸に直交する面上で撮影光軸を通る調整方向で前記レンズ保持部を挟んで支持する繰出機構部と押圧機構部とを有し、
前記繰出機構部は、前記支持部に設けられ、前記レンズ保持部を支持する支持位置を前記調整方向で変位自在であり、
前記押圧機構部は、前記レンズ保持部を支持すべく前記調整方向で変位可能に前記支持部に設けられた変位部材と、該変位部材に前記調整方向で前記繰出機構部へ向けた調整押圧力を付与する調整押圧部材と、を有し、
該調整押圧部材は、前記調整押圧力とともに、前記調整方向に直交する方向で前記変位部材を前記支持部へと押し当てる拘束押圧力を前記変位部材に付与することを特徴とするレンズ鏡胴。
【請求項２】
前記調整押圧部材は、前記調整方向と撮影光軸方向とを含む面において該調整方向に対して傾斜する方向へと前記変位部材を押圧することにより、該変位部材に前記調整押圧力と前記拘束押圧力とを付与することを特徴とする請求項１に記載のレンズ鏡胴。
【請求項３】
前記支持部は、前記変位部材と撮影光軸方向で対向する位置に設けられた被押当部と、前記調整方向と直交しかつ撮影光軸方向と傾斜を為す位置決め方向で前記変位部材を挟んで前記被押当部と対向する位置に設けられた位置決め部と、を有し、
前記変位部材は、前記被押当部と撮影光軸方向で対向する位置に設けられた拘束押圧部と、前記位置決め部と前記位置決め方向で対向する位置に設けられた位置決め押当部と、を有し、
前記被押当部と前記拘束押圧部とのいずれか一方は、前記変位部材への前記拘束押圧力の一部を前記支持部に対する前記変位部材の前記位置決め方向への移動力に変換する傾斜面とされ、
前記被押当部と前記拘束押圧部との他方は、前記調整方向に直交する断面形状が曲面とされていることを特徴とする請求項２に記載のレンズ鏡胴。
【請求項４】
前記位置決め方向は、前記調整方向および撮影光軸方向に対して直交することを特徴とする請求項３に記載のレンズ鏡胴。
【請求項５】
前記位置決め部と前記位置決め押当部とのいずれか一方は、前記調整方向に直交する断面形状が曲面とされ、
前記位置決め部と前記位置決め押当部との他方は、前記調整方向を含みかつ前記位置決め方向に対して傾斜するとともに、撮影光軸方向および前記位置決め方向を含む断面で見て該位置決め方向に関して対象な１対の傾斜面を有することを特徴とする請求項３または請求項４に記載のレンズ鏡胴。
【請求項６】
前記調整方向として、撮影光軸に直交する面上で互いに交わる第１調整方向と第２調整方向とが設定され、
前記レンズ調芯機構では、前記繰出機構部として、前記第１調整方向に対応する第１繰出機構部と、前記第２調整方向に対応する第２繰出機構部と、が設けられるとともに、前記押圧機構部として、前記第１調整方向に対応する第１押圧機構部と、前記第２調整方向に対応する第２押圧機構部と、が設けられ、
前記第１押圧機構部には、前記第２繰出機構部と前記第２押圧機構部とによる前記支持部に対する前記レンズ保持部の前記第２調整方向での調整の際に、前記支持部に対する前記レンズ保持部の移動方向を前記第２調整方向へと案内する第１ガイド機構部が設けられ、
前記第２押圧機構部には、前記第１繰出機構部と前記第１押圧機構部とによる前記支持部に対する前記レンズ保持部の前記第１調整方向での調整の際に、前記支持部に対する前記レンズ保持部の移動方向を前記第１調整方向へと案内する第２ガイド機構部が設けられていることを特徴とする請求項１から請求項５のいずれか１項に記載のレンズ鏡胴。
【請求項７】
前記第１調整方向と前記第２調整方向とは、互いに直交することを特徴とする請求項６に記載のレンズ鏡胴。
【請求項８】
前記支持部と前記レンズ保持部との間には、撮影光軸方向で該レンズ保持部を前記支持部へと押し当てる光軸側押圧力を前記レンズ保持部に付与する光軸側押圧部材が設けられていることを特徴とする請求項１から請求項７のいずれか１項に記載のレンズ鏡胴。
【請求項９】
請求項１から請求項８のいずれか１項に記載のレンズ鏡胴を搭載していることを特徴とするレンズ鏡胴ユニット。
【請求項１０】
請求項９に記載のレンズ鏡胴ユニットを搭載していることを特徴とする撮像装置。
【発明の詳細な説明】
【技術分野】
【０００１】
本発明は、少なくとも１枚以上のレンズからなる光軸補正レンズ群が設けられたレンズ鏡胴に関する。
【背景技術】
【０００２】
近年、デジタルカメラ等の撮影装置では、撮影画像の高画質化が求められている。ここで、高画質化への要求を満たすためには、レンズ鏡胴において、光学系の撮影光軸に直交する方向で見たレンズ群の位置を、光学系としての設定に応じた所定の位置とする、いわゆるレンズ群の調芯を高精度に行う必要がある。このため、光学系の一部または光学系全体を調芯すべく、複数のレンズ相互の撮影光軸に直交する方向で見た位置を調整するレンズ調芯機構を備えるレンズ鏡胴が既に知られている（例えば、特許文献１参照）。
【０００３】
このレンズ鏡胴（レンズ調芯機構）では、第１レンズを保持する筒状の第１レンズ枠の内側の嵌合凹部に、光軸補正レンズ群としての第２レンズおよび第３レンズを保持する筒状の第２レンズ枠が嵌め込まれている。この嵌合凹部は、第１レンズ枠において第１レンズを保持する第１保持部の周りに形成され、第２レンズ枠（その外周面）と所定の隙間をおいて当該第２レンズ枠が嵌め込まれることにより、その第２レンズ枠を保持している。その第２レンズ枠は、外周面から周方向に等間隔で径方向外向きに突出した３つの突出部が、それぞれに個別に対応して嵌合凹部（第１レンズ枠）に設けられ、当該突出部を所定の遊びをもって挿入し得る幅寸法とされた３つのスリットに挿入されることにより、嵌合凹部（第１レンズ枠）内で撮影光軸に直交する方向に移動可能とされている。
【０００４】
このレンズ鏡胴（レンズ調芯機構）では、例えば、予め第１保持部に第１レンズを嵌め込んで保持した第１レンズ枠と、予め第２レンズおよび第３レンズを保持した第２レンズ枠と、を用意し、第２レンズ枠を第１レンズ枠の嵌合凹部に嵌め込んだ状態で、所定の調芯装置を用いて第２レンズ枠を撮影光軸に直交する方向に二次元的に微調整し、その調整された位置で所定の隙間を接着剤で充填して第２レンズ枠を固定することにより、第１レンズに対して第２レンズを調芯することができる。
【発明の概要】
【発明が解決しようとする課題】
【０００５】
しかしながら、上述したレンズ鏡胴（レンズ調芯機構）では、撮影光軸に直交する方向で見た光軸補正レンズ群の移動量が２つの次元で表されるのに対し、第２レンズ枠が周方向に等間隔で設けられた３つの突出部と３つのスリットにより嵌合凹部（第１レンズ枠）内で撮影光軸に直交する方向に移動可能とされている。このため、光軸補正レンズ群の移動量と方向が、調芯部材（ネジまたはカム等）により光軸補正レンズ群に与えられる移動量および方向と一致せず、換言すると、２つの次元で表される光軸補正レンズ群の移動量を、周方向で等間隔な３つの方向（各突出部および各スリットの伸びる方向）での移動量の調整により実現する必要がある。このことから、光軸補正レンズ群を適正な方向に適切な移動量で調整するには、パラメータを用いて３つの方向への移動量に対する光軸補正レンズ群の想定移動量および想定方向を設定する必要がある。加えて、光軸補正レンズ群では、各突出部と各スリットとの間に遊びが設けられていることから、３つの方向への直線方向の移動に加えて回転成分も発生し得るので、想定移動量および想定方向の設定がさらに困難であるという課題があった。
【０００６】
本発明は、上記の事情に鑑みて為されたもので、高い精度で光軸補正レンズ群を調芯することのできるレンズ鏡胴を提供することにある。
【課題を解決するための手段】
【０００７】
請求項１に記載のレンズ鏡胴は、少なくとも１枚以上のレンズからなる光軸補正レンズ群が設けられたレンズ鏡胴であって、前記光軸補正レンズ群を保持するレンズ保持部と、撮影光軸に直交する方向へと移動可能に該レンズ保持部を内側で支持する支持部と、該支持部に対する前記レンズ保持部の撮影光軸に直交する方向での位置を調整するレンズ調芯機構と、を備え、該レンズ調芯機構は、撮影光軸に直交する面上で撮影光軸を通る調整方向で前記レンズ保持部を挟んで支持する繰出機構部と押圧機構部とを有し、前記繰出機構部は、前記支持部に設けられ、前記レンズ保持部を支持する支持位置を前記調整方向で変位自在であり、前記押圧機構部は、前記レンズ保持部を支持すべく前記調整方向で変位可能に前記支持部に設けられた変位部材と、該変位部材に前記調整方向で前記繰出機構部へ向けた調整押圧力を付与する調整押圧部材と、を有し、該調整押圧部材は、前記調整押圧力とともに、前記調整方向に直交する方向で前記変位部材を前記支持部へと押し当てる拘束押圧力を前記変位部材に付与することを特徴とする。
【発明の効果】
【０００８】
請求項１に記載のレンズ鏡胴では、高い精度で光軸補正レンズ群を調芯することができる。
【図面の簡単な説明】
【０００９】
【図１】本発明に係る装置または電子機器の一例としての撮像装置１０を示す説明図である。
【図２】撮像装置１０の構成を示すブロック図である。
【図３】レンズ鏡胴１３の構成を模式的な断面で示す説明図であり、所定の収納位置とされた様子を示す。
【図４】第５レンズ保持枠４５がレンズ調芯機構６０を介して第５レンズ用支持枠４６に支持される様子を示す説明図であり、（ａ）は被写体側から見た斜視図で示し、（ｂ）は結像面側から見た斜視図で示す。
【図５】第５レンズ保持枠４５がレンズ調芯機構６０を介して第５レンズ用支持枠４６に支持される様子を、結像面側から見た平面図で示す説明図である。
【図６】第５レンズ保持枠４５がレンズ調芯機構６０を介して第５レンズ用支持枠４６に支持される様子を、被写体側から見た平面図で示す説明図である。
【図７】第５レンズ群３５を保持する第５レンズ保持枠４５を被写体側から見た平面図である。
【図８】レンズ調芯機構６０の繰出機構部６１の調整カム部材６９の構成を説明するための説明図であり、（ａ）は第５レンズ用支持枠４６に設けられた状態における調整カム部材６９を撮影光軸ＯＡに対する径方向の外側から見た様子を斜視図で示し、（ｂ）は調整カム部材６９を当該径方向の内側から見た様子を斜視図で示す。
【図９】レンズ調芯機構６０の押圧機構部６２のスライダ７１の構成を説明するための説明図であり、（ａ）は第５レンズ用支持枠４６に設けられた状態における調整カム部材６９を外側であって被写体側から見た様子を斜視図で示し、（ｂ）は調整カム部材６９を内側であって結像面側から見た様子を斜視図で示す。
【図１０】レンズ調芯機構６０における繰出機構部６１の周辺を拡大して示す説明図である。
【図１１】図１０のＩ−Ｉ線に沿って得られる断面図である。
【図１２】レンズ調芯機構６０における押圧機構部６２の周辺を拡大して示すとともに一部を破断して示す説明図である。
【図１３】図１２のII−II線に沿って得られる断面図である。
【図１４】図１３のIII−III線に沿って得られる断面図である。
【図１５】レンズ鏡胴１３（レンズ調芯機構６０）における第１調整方向Ｄａ１での調芯の様子を説明する説明図である。
【図１６】レンズ鏡胴１３（レンズ調芯機構６０）における第２調整方向Ｄａ２での調芯の様子を説明する図１５と同様の説明図である。
【発明を実施するための形態】
【００１０】
以下に、本願発明に係るレンズ鏡胴の実施例について図面を参照しつつ説明する。
【実施例】
【００１１】
本発明に係るレンズ鏡胴の一実施例としてのレンズ鏡胴１３およびそれが用いられる撮像装置の一実施例としての撮像装置１０の構成を、図１から図１６を用いて説明する。なお、図３では、理解容易のために、レンズ鏡胴１３の構成を模式的な断面で示している。
【００１２】
まず、レンズ鏡胴１３を用いる撮像装置（デジタルカメラ）の一例としての撮像装置１０を、図１および図２を用いて説明する。撮像装置１０は、図１に示すように、カメラ本体１１の前面（図１を正面視して手前側の面）側に撮影光学系１２を有するレンズ鏡胴１３が設けられている。図示の例では、レンズ鏡胴１３は、カメラ本体１１に対して着脱自在なレンズ鏡胴ユニットとして構成されている。なお、この明細書では、撮影光学系１２における光学的な軸線、すなわち各光学部材の中心軸位置となる回転対称軸を、撮影光学系１２すなわち撮像装置１０の撮影光軸ＯＡとしている。
【００１３】
カメラ本体１１では、上面（図１を正面視して上側の面）に、操作部としての電源スイッチ１４、シャッターボタン１５、モード切替ダイアル１６が設けられている。電源スイッチ１４は、撮像装置１０を起動するための操作（起動操作）と、撮像装置１０を停止するための操作（停止操作）と、をするものである。シャッターボタン１５は、被写体を撮影する際に押し下げる押下操作部材である。モード切替ダイアル１６は、各種のシーンモード、静止画モード、動画モード等を設定するものである。また、明確な図示は略すが、カメラ本体１１の背面には、その他の操作スイッチ１７や後述する表示部２４（その表示面）が設けられている（図２参照）。その操作スイッチ１７は、各種のシーンモード、静止画モード、動画モード等の設定や各メニュー等の設定のための方向指示用スイッチや各種スイッチである。また、表示部２４は、撮像された画像データや記録媒体に記録された画像データに基づき画像を表示する。
【００１４】
撮像装置１０では、シャッターボタン１５の押下操作により、撮影光学系１２を通して後述する撮像素子２２の受光面２２ａ（図３等参照）で受光した被写体像の画像データが記録処理される。その撮影光学系１２は、後述するように、５群構成とされている（図３参照）。レンズ鏡胴１３は、明確な図示は略すが、撮影光軸ＯＡに沿って、所定の収納位置と所定の撮影待機位置との間で移動（進退）可能とされている。図１および図３に示すレンズ鏡胴１３（撮像装置１０）は、電源オフ時（電源スイッチ１４がＯＦＦ状態）であって、撮影光学系１２（後述する直進筒４１（可動レンズ鏡筒））が最も像面側に後退された収納位置とされている。また、レンズ鏡胴１３は、電源オン時（電源スイッチ１４がＯＮ状態）となると、明確な図示は略すが、図１および図３に示す状態（収納位置）から、撮影光学系１２（後述する直進筒４１（可動レンズ鏡筒））が撮影光軸ＯＡ方向で被写体側に繰り出されて、撮影待機位置となる。なお、レンズ鏡胴１３（撮像装置１０）は、図１および図３に示す収納位置において、撮影待機状態とされる設定であってもよい。
【００１５】
この撮像装置１０は、図２に示すように、制御部２１と、上述した撮像素子２２と、レンズ鏡胴駆動ユニット２３と、上述した表示部２４と、を有する。制御部２１は、操作部としての電源スイッチ１４、シャッターボタン１５、モード切替ダイアル１６および操作スイッチ１７に為された操作に基づく駆動処理や、撮像素子２２からの信号に基づく画像データの生成処理や、レンズ鏡胴駆動ユニット２３および表示部２４の駆動等の制御を、記憶部２１ａに格納されたプログラムにより統括的に行う。制御部２１は、撮影光学系１２を経て撮像素子２２で画像を取得し、その画像をカメラ本体１１の後面側に設けられた表示部２４に適宜表示させる。撮像素子２２、レンズ鏡胴駆動ユニット２３および表示部２４には、制御部２１を介して、図示を略す電池から電力が供給され、それぞれの動作の実行が可能とされている。
【００１６】
撮像素子２２は、ＣＣＤ（電荷結合素子）イメージセンサやＣＭＯＳイメージセンサ等で構成されている。この撮像素子２２は、撮影光学系１２を通して受光面２２ａ（図３等参照）上に結像された被写体像を電気信号（画像データ）に変換して出力する。その出力された電気信号（画像データ）は、制御部２１へと伝送される。
【００１７】
レンズ鏡胴駆動ユニット２３は、レンズ鏡胴１３を収納位置（図１および図３参照）と撮影待機位置（図示せず）とで移行すべく、後述するように、直進ライナー４８に対して回転筒４７を回転させることにより、撮影光学系１２の各光学部材を各々支持するレンズ保持部を移動させる。また、レンズ鏡胴駆動ユニット２３は、後述するように、フォーカスモータ４９（図３参照）を駆動することにより合焦を行う。
【００１８】
次に、撮像装置１０に用いられた本発明に係るレンズ鏡胴の一実施例としてのレンズ鏡胴１３の概略的な構成を、図３を用いて説明する。図３は、レンズ鏡胴１３の構成を模式的な断面で示す説明図であり、所定の収納位置とされた様子を示す。
【００１９】
レンズ鏡胴１３は、図３に示すように、第１レンズ群３１、第２レンズ群３２、第３レンズ群３３、第４レンズ群３４、第５レンズ群３５、シャッタ／絞りユニット３６、上述した撮像素子２２、光学素子３７、直進筒４１、第２レンズ保持枠４２、第３レンズ保持枠４３、第４レンズ保持枠４４、第５レンズ保持枠４５、第５レンズ用支持枠４６、回転筒４７、直進ライナー４８、フォーカスモータ４９、ベース部材５１、レンズ調芯機構６０、を具備している。
【００２０】
このレンズ鏡胴１３では、被写体（物体）側から第１レンズ群３１、第２レンズ群３２、第３レンズ群３３、第４レンズ群３４および第５レンズ群３５が順次配列されるとともに、第３レンズ群３３と第４レンズ群３４の間にシャッタ／絞りユニット３６が挿入配置されている。その第５レンズ群３５の像面側に、光学素子３７と撮像素子２２とが配置されている。光学素子３７は、ローパスフィルタ等で構成されており、撮像素子２２の受光面２２ａを覆って設けられている。その撮像素子２２は、図示は略すが、電子部品が実装されて電子回路部を構成する基板に実装されており、当該基板はベース部材５１に固定されている。
【００２１】
そのベース部材５１は、全体に平板状を呈する。ベース部材５１には、明確な図示は略すが、撮影光軸ＯＡを含む中央に、撮影光軸ＯＡ方向に貫通する設置開口が設けられている。ベース部材５１では、その設置開口で光学素子３７および撮像素子２２を支持することにより、被写体側に光学素子３７が設けられるとともに、その後側（結像面側）に撮像素子２２が設けられている。
【００２２】
第１レンズ群３１は、１枚以上のレンズからなる。この第１レンズ群３１は、それらを一体的に保持する第１レンズ保持枠４１ａを介して直進筒４１の先端部（物体側の端部）に固定されて保持されている。第１レンズ群３１は、撮影光学系１２における最も被写体（物体）側に配置される対物レンズを有する。
【００２３】
第２レンズ群３２は、１枚以上のレンズからなる。この第２レンズ群３２は、第２レンズ保持枠４２に固定されて保持されている。このため、第２レンズ保持枠４２は、第２レンズ群３２を保持するレンズ保持部として機能する。その第２レンズ保持枠４２の外周面には、図示は略すが第２カムフォロアが設けられている。この第２カムフォロアは、撮影光軸ＯＡから放射方向へ向かう方向（以下、径方向ともいう）へ向けて、外周面から突出している。第２カムフォロアは、撮影光軸ＯＡを回転中心として回転する方向（以下、回転方向ともいう）で等間隔な位置で、３箇所に設けられている。この各第２カムフォロアは、直進ライナー４８の後述する各直進キー溝（図示せず）に接触しつつ相対的に撮影光軸ＯＡ方向に移動することが可能に挿入されるとともに、その先端が回転筒４７の内周面に設けられた後述する各第２カム溝（図示せず）に接触しつつ相対的に移動することが可能に挿入される。この第２レンズ保持枠４２には、明確な図示は略すが、フォーカスモータ４９が固定されるとともに、そのリードスクリュー４９ａが回転可能に設けられている。
【００２４】
第３レンズ群３３は、１枚以上のレンズからなる。この第３レンズ群３３は、第３レンズ保持枠４３に固定されて保持されている。このため、第３レンズ保持枠４３は、第３レンズ群３３を保持するレンズ保持部として機能する。この第３レンズ保持枠４３は、明確な図示は略すが、第２レンズ保持枠４２に設けられたフォーカスモータ４９のリードスクリュー４９ａに、ナット機構あるいはラック機構を介して支持されている。この第３レンズ保持枠４３（第３レンズ群３３）は、第２レンズ保持枠４２と一体的に撮影光軸方向に移動可能であるとともに、フォーカスモータ４９の駆動により当該第２レンズ保持枠４２に対して撮影光軸ＯＡ方向に移動可能とされている。この第３レンズ群３３は、本実施例では、ピント合わせ、つまり合焦を行うフォーカスレンズとして用いられており、焦点調節時にはフォーカスモータ４９からの駆動力（リードスクリュー４９ａの回転）により撮影光軸ＯＡ方向での位置が調節される。
【００２５】
第４レンズ群３４は、１枚以上のレンズからなる。この第４レンズ群３４は、第４レンズ保持枠４４に固定されて保持されている。このため、第４レンズ保持枠４４は、第４レンズ群３４を保持するレンズ保持部として機能する。その第４レンズ保持枠４４は、シャッタ／絞りユニット３６を一体的に保持している。第４レンズ保持枠４４の外周面における後端部（結像面側の端部）には、図示は略すが第４カムフォロアが設けられている。その第４カムフォロアは、回転方向で等間隔な位置で３箇所に設けられ、外周面から径方向の外側へ向けて突出している。各第４カムフォロアは、直進ライナー４８の後述する各直進キー溝（図示せず）に接触しつつ相対的に撮影光軸ＯＡ方向に移動することが可能に挿入されるとともに、その先端が回転筒４７の内周面に設けられた後述する各第４カム溝（図示せず）に接触しつつ相対的に移動することが可能に挿入される。
【００２６】
第５レンズ群３５は、１枚以上のレンズからなる。この第５レンズ群３５は、第５レンズ保持枠４５に固定されて保持されている。このため、第５レンズ保持枠４５は、第５レンズ群３５を保持するレンズ保持部として機能する。その第５レンズ保持枠４５は、レンズ調芯機構６０を介して第５レンズ用支持枠４６に撮影光軸ＯＡに直交する方向へと移動可能に支持されている。このため、第５レンズ用支持枠４６は、レンズ保持部としての第５レンズ保持枠４５を撮影光軸ＯＡに直交する方向へと移動可能に支持する支持部として機能する。その第５レンズ用支持枠４６の外周面における後端部（結像面側の端部）には、第５カムフォロア４６ｃが設けられている（図４等参照）。その第５カムフォロア４６ｃは、回転方向で等間隔な位置で３箇所に設けられ、外周面から径方向の外側へ向けて突出している（図５等参照）。各第５カムフォロア４６ｃは、直進ライナー４８の後述する各直進キー溝（図示せず）に接触しつつ相対的に撮影光軸ＯＡ方向に移動することが可能に挿入されるとともに、その先端が回転筒４７の内周面に設けられた後述する各第５カム溝（図示せず）に接触しつつ相対的に移動することが可能に挿入される。そこに設けられたレンズ調芯機構６０およびその周辺の構成については、後に詳細に説明する。
【００２７】
第４レンズ保持枠４４に一体的に保持されたシャッタ／絞りユニット３６は、シャッタおよび開口絞りを含むものである。これら第１レンズ群３１から第５レンズ群３５（シャッタ／絞りユニット３６を含む）は、焦点距離可変のズームレンズとしての撮影光学系１２を構成する。この撮影光学系１２の結像位置、すなわち第１レンズ群３１から第５レンズ群３５（シャッタ／絞りユニット３６を含む）により被写体像が形成される像面（撮影光軸ＯＡ方向で見て第５レンズ群３５よりも結像面側）に、上述した撮像素子２２（電子回路部）の受光面２２ａが配置される。この撮影光学系１２における光学的な軸線、すなわち第１レンズ群３１から第５レンズ群３５の中心軸位置となる回転対称軸が、撮影光学系１２すなわちレンズ鏡胴１３の上述した撮影光軸ＯＡ（レンズ光軸）となる。
【００２８】
その撮影光学系１２の第１レンズ群３１を、第１レンズ保持枠４１ａを介して保持する直進筒４１は、全体に円筒形状を呈する。この直進筒４１は、第１レンズ保持枠４１ａとの協働により、第１レンズ群３１を保持するレンズ保持部として機能する。直進筒４１の内周面における後端部（結像面側の端部）には、図示は略すが第１カムフォロアが設けられている。この第１カムフォロアは、回転方向で等間隔な位置で３箇所に設けられ、径方向の内側へ向けて直進筒４１の内周面から突出している。各第１カムフォロアは、その先端が回転筒４７の外周面に設けられた後述する各第１カム溝（図示せず）に接触しつつ相対的に移動することが可能に挿入される。また、直進筒４１の内周面には、撮影光軸ＯＡ方向に伸びる直進溝４１ｂが設けられている。この直進溝４１ｂには、直進ライナー４８の後述するキー部４８ｂが、互いに接触しつつ相対的に撮影光軸ＯＡ方向に移動することが可能に挿入される。この直進筒４１の内方に回転筒４７が嵌め入れられ、その内方に直進ライナー４８が嵌め入れられる。
【００２９】
その直進ライナー４８は、全体に円筒形状を呈し、上述した設置開口を取り巻くようにベース部材５１に固定される。このため、直進ライナー４８は、後述するように回転筒４７が回転されても、ベース部材５１に対して移動することが防止されている。この直進ライナー４８には、先端部（被写体側の端部）にフランジ部４８ａが設けられている。このフランジ部４８ａは、直進ライナー４８の先端部が全周に渡り径方向の外側へと突出されて形成されている。フランジ部４８ａには、キー部４８ｂが設けられている。このキー部４８ｂは、フランジ部４８ａの外周面から径方向に突出されて形成されており、直進筒４１の内周面に設けられた直進溝４１ｂに挿入される。このため、直進ライナー４８は、キー部４８ｂを直進溝４１ｂへと挿入することにより、直進筒４１の撮影光軸ＯＡ回りの回転を規制しつつ、直進筒４１の撮影光軸ＯＡ方向への相対的な移動を可能としている。このことから、直進ライナー４８は、レンズ保持部としての直進筒４１の撮影光軸ＯＡ方向への移動を案内する案内部材として機能する。
【００３０】
この直進ライナー４８には、図示は略すが周壁部に直進キー溝が設けられている。この直進キー溝は、回転方向で等間隔な位置で３箇所に設けられ、周壁部を径方向に貫通しつつ撮影光軸ＯＡ方向に伸びて形成されている。この直進ライナー４８の内周には、第２レンズ保持枠４２、第４レンズ保持枠４４および第５レンズ用支持枠４６が嵌め入れられており、その各直進キー溝には、図示は略すが第２レンズ保持枠４２の各第２カムフォロア、第４レンズ保持枠４４の各第４カムフォロアおよび第５レンズ用支持枠４６の各第５カムフォロア４６ｃ（図４等参照）が通される。この各直進キー溝は、通された各第２カムフォロア、各第４カムフォロアおよび各第５カムフォロア４６ｃの撮影光軸ＯＡ方向への移動を可能とするとともに、撮影光軸ＯＡを中心とする回転方向への移動を制限する。このことから、直進ライナー４８は、レンズ保持部としての第２レンズ保持枠４２（そこに設けられた第３レンズ保持枠４３）、第４レンズ保持枠４４および第５レンズ保持枠４５（第５レンズ用支持枠４６）の撮影光軸ＯＡ方向への移動を案内する案内部材として機能する。この直進ライナー４８の外周に回転筒４７が設けられている。
【００３１】
その回転筒４７は、全体に円筒形状を呈する。この回転筒４７は、直進筒４１の内側において直進ライナー４８を取り巻いて設けられ、撮影光軸ＯＡ方向で直進ライナー４８のフランジ部４８ａとベース部材５１とに挟み込まれている。回転筒４７は、ベース部材５１すなわち直進ライナー４８に対して、撮影光軸ＯＡ方向での位置を固定したまま撮影光軸ＯＡを中心に相対的に回転することが可能とされている。回転筒４７の外周面における基端部（結像面側の端部）には、ギヤ部４７ａが形成されている。このギヤ部４７ａは、明確な図示は略すが、撮影光軸ＯＡ方向に伸びる複数の歯が、回転筒４７の内周面で撮影光軸ＯＡを中心とする回転方向に沿って並列されて形成されている。このギヤ部４７ａは、ベース部材５１に固定的に設けられたレンズ鏡胴駆動ユニット２３（図２参照）の駆動モータ（図示せず）の出力ギアが噛み合わされる。このため、回転筒４７は、当該駆動モータ（レンズ鏡胴駆動ユニット２３）の駆動力がギア伝達されることにより、ベース部材５１および直進ライナー４８に対して回転駆動される。
【００３２】
また、回転筒４７の内周面には、明確な図示は略すが第２カム溝、第４カム溝および第５カム溝が設けられている。その第２カム溝、第４カム溝および第５カム溝は、互いに独立して、撮影光軸ＯＡを取り巻きつつその撮影光軸ＯＡ方向へと変位して（撮影光軸ＯＡ方向に対して傾斜されて）形成されている。この第２カム溝、第４カム溝および第５カム溝は、それぞれが回転方向で等間隔な位置で３箇所に設けられている。この各第２カム溝は、第２レンズ保持枠４２の移動のためのカム溝であり、そこに設けられた各第２カムフォロアと接触しつつ相対的に移動することが可能とされている。各第４カム溝は、第４レンズ保持枠４４の移動のためのカム溝であり、そこに設けられた各第４カムフォロアと接触しつつ相対的に移動することが可能とされている。各第５カム溝は、第５レンズ用支持枠４６（第５レンズ保持枠４５）の移動のためのカム溝であり、そこに設けられた各第５カムフォロア４６ｃ（図４等参照）と接触しつつ相対的に移動することが可能とされている。このため、回転筒４７が直進ライナー４８に対して撮影光軸ＯＡを中心軸線として回転すると、直進ライナー４８の各直進キー溝に対する、第２レンズ保持枠４２の各第２カム溝、第４レンズ保持枠４４の各第４カム溝および第５レンズ用支持枠４６の各第５カム溝の交差位置が撮影光軸ＯＡ方向に移動する。
【００３３】
さらに、回転筒４７の外周面には、明確な図示は略すが第１カム溝が設けられている。第１カム溝は、撮影光軸ＯＡを取り巻きつつその撮影光軸ＯＡ方向へと変位して（撮影光軸ＯＡ方向に対して傾斜されて）形成されている。この第１カム溝は、回転方向で等間隔な位置で３箇所に設けられている。各第１カム溝は、回転筒４７に対する直進筒４１の移動のためのカム溝であり、そこに設けられた各第１カムフォロアと接触しつつ相対的に移動することが可能とされている。ここで、直進筒４１は、その直進溝４１ｂに直進ライナー４８のキー部４８ｂが挿入されることにより、直進ライナー４８に対して撮影光軸ＯＡ回りの回転が規制されつつ撮影光軸ＯＡ方向への相対的な移動が可能とされている。
【００３４】
このため、回転筒４７がベース部材５１および直進ライナー４８に対して回転駆動されることにより、第２レンズ保持枠４２が各第２カム溝のカム軌跡に倣うように進退し、第４レンズ保持枠４４が各第４カム溝のカム軌跡に倣うように進退し、第５レンズ用支持枠４６（第５レンズ保持枠４５）が各第５カム溝のカム軌跡に倣うように進退するとともに、直進筒４１が各第１カム溝のカム軌跡に倣うように進退する。
【００３５】
これにより、レンズ鏡胴１３（撮像装置１０）では、レンズ鏡胴駆動ユニット２３（図２参照）の図示を略す駆動モータ（図示せず）の駆動力が適宜ギアを介してギヤ部４７ａに伝達されて回転筒４７が直進ライナー４８に対して回動されることにより、撮影光学系１２の第１レンズ群３１、第２レンズ群３２、第３レンズ群３３、第４レンズ群３４（シャッタ／絞りユニット３６）、第５レンズ群３５が、所定のごとくズーミング動作する。
【００３６】
ここで、本実施例の撮影光学系１２では、第５レンズ群３５が光軸補正レンズ群として設定されている。この光軸補正レンズ群とは、画像の像面倒れや画質低下等が生じることを防止して、撮影光学系１２がより適切な撮像性能を得ることを可能とする観点から、撮影光軸ＯＡに対してそこに直交する方向で見た位置を高精度に調整すること、いわゆる調芯が可能とされたレンズ群をいう。このため、本実施例のレンズ鏡胴１３（撮像装置１０）では、第５レンズ群３５を保持する第５レンズ保持枠４５が、レンズ調芯機構６０を介して第５レンズ用支持枠４６に支持されることにより、第５レンズ保持枠４５すなわち第５レンズ群３５の撮影光軸ＯＡに直交する方向で見た位置の高精度な調整が可能とされている。以下では、第５レンズ用支持枠４６におけるレンズ調芯機構６０を介する第５レンズ保持枠４５の支持構造について図４から図１６を用いて説明する。なお、以下では、上述した径方向を撮影光軸ＯＡに対する径方向と言う。
【００３７】
図４は、第５レンズ保持枠４５がレンズ調芯機構６０を介して第５レンズ用支持枠４６に支持される様子を示す説明図であり、（ａ）は被写体側から見た斜視図で示し、（ｂ）は結像面側から見た斜視図で示す。図５は、第５レンズ保持枠４５がレンズ調芯機構６０を介して第５レンズ用支持枠４６に支持される様子を、結像面側から見た平面図で示す説明図である。図６は、第５レンズ保持枠４５がレンズ調芯機構６０を介して第５レンズ用支持枠４６に支持される様子を、被写体側から見た平面図で示す説明図である。図７は、第５レンズ群３５を保持する第５レンズ保持枠４５を被写体側から見た平面図である。図８は、レンズ調芯機構６０の繰出機構部６１の調整カム部材６９の構成を説明するための説明図であり、（ａ）は第５レンズ用支持枠４６に設けられた状態における調整カム部材６９を撮影光軸ＯＡに対する径方向の外側から見た様子を斜視図で示し、（ｂ）は調整カム部材６９を当該径方向の内側から見た様子を斜視図で示す。図９は、レンズ調芯機構６０の押圧機構部６２のスライダ７１の構成を説明するための説明図であり、（ａ）は第５レンズ用支持枠４６に設けられた状態における調整カム部材６９を外側であって被写体側から見た様子を斜視図で示し、（ｂ）は調整カム部材６９を内側であって結像面側から見た様子を斜視図で示す。図１０は、レンズ調芯機構６０における繰出機構部６１の周辺を拡大して示す説明図である。図１１は、図１０のＩ−Ｉ線に沿って得られる断面図である。図１２は、レンズ調芯機構６０における押圧機構部６２の周辺を拡大して示すとともに一部を破断して示す説明図である。図１３は、図１２のII−II線に沿って得られる断面図である。図１４は、図１３のIII−III線に沿って得られる断面図である。図１５は、レンズ鏡胴１３（レンズ調芯機構６０）における第１調整方向Ｄａ１での調芯の様子を説明する説明図である。図１６は、レンズ鏡胴１３（レンズ調芯機構６０）における第２調整方向Ｄａ２での調芯の様子を説明する図１５と同様の説明図である。この図１５および図１６では、理解容易のために、第５レンズ用支持枠４６を省略して示している。
【００３８】
レンズ調芯機構６０は、第５レンズ群３５を保持する第５レンズ保持枠４５の位置を、直進ライナー４８の内方で回転筒４７により撮影光軸ＯＡ方向に移動可能とされた第５レンズ用支持枠４６に対して、撮影光軸ＯＡに直交する方向へと調整することを可能とする。そのレンズ調芯機構６０は、基本的に、図４から図６に示すように、繰出機構部６１と押圧機構部６２とにより第５レンズ保持枠４５を調整方向Ｄａで挟んで支持し、調整方向Ｄａでの支持位置を変更することにより第５レンズ保持枠４５の撮影光軸ＯＡに直交する方向への位置の調整を可能とする。その調整方向Ｄａは、撮影光軸ＯＡに直交する面上であって、撮影光軸ＯＡを通るものとされている。これは、レンズ調芯機構６０が、撮影光軸ＯＡに直交する方向で見た光軸補正レンズ群（第５レンズ群３５）のレンズ光軸の位置を、撮影光学系１２において設定された撮影光軸ＯＡに一致させる、いわゆる光軸補正レンズ群の調芯を行うものであることによる。
【００３９】
レンズ調芯機構６０は、本実施例では、調整方向Ｄａとして、撮影光軸ＯＡに直交する面上で互いに直交する第１調整方向Ｄａ１と第２調整方向Ｄａ２とを設定している（図５から図７等参照）。このため、レンズ調芯機構６０は、本実施例では、第１調整方向Ｄａ１に対応する第１繰出機構部６１１および第１押圧機構部６２１と、第２調整方向Ｄａ２に対応する第２繰出機構部６１２および第２押圧機構部６２２と、を有する。すなわち、第１繰出機構部６１１と第１押圧機構部６２１とは、第５レンズ保持枠４５を第１調整方向Ｄａ１で挟んで支持し、第１調整方向Ｄａ１での支持位置を変更することにより第５レンズ保持枠４５の第１調整方向Ｄａ１での位置の調整を可能とする。また、第２繰出機構部６１２と第２押圧機構部６２２とは、第５レンズ保持枠４５を第２調整方向Ｄａ２で挟んで支持し、第２調整方向Ｄａ２での支持位置を変更することにより第５レンズ保持枠４５の第２調整方向Ｄａ２での位置の調整を可能とする。このため、レンズ調芯機構６０は、第５レンズ群３５を保持する第５レンズ保持枠４５の位置を、第５レンズ用支持枠４６に対して撮影光軸ＯＡに直交する方向で調整することができる。
【００４０】
ここで、第５レンズ保持枠４５および第５レンズ用支持枠４６に対する、第１繰出機構部６１１および第１押圧機構部６２１と、第２繰出機構部６１２および第２押圧機構部６２２と、の構成および作用は、調整可能な方向が第１調整方向Ｄａ１となるか第２調整方向Ｄａ２となるかが異なることを除くと、基本的に等しい構成とされている。このため、以下では、単に繰出機構部６１、押圧機構部６２および調整方向Ｄａを用いて、構成および基本的な作用を説明する。なお、各部材においては、第１調整方向Ｄａ１と第２調整方向Ｄａ２とに対応させて述べる際には、繰出機構部６１における第１繰出機構部６１１や押圧機構部６２における第２押圧機構部６２２と同様に、語頭に第ｎ（ｎは１または２）を付して示すとともに、符号の末尾にｎを付して示す。その調整方向Ｄａは、繰出機構部６１および押圧機構部６２が設けられた位置における撮影光軸ＯＡに対する径方向となり、撮影光軸ＯＡへと向かう側を正側とし、第５レンズ用支持枠４６の外方へと向かう側を負側とする。また、以下では、繰出機構部６１および押圧機構部６２において、撮影光軸ＯＡと平行な方向を撮影光軸方向Ｄｏと言い、撮影光軸方向Ｄｏでの向きを示す場合、被写体側（図の矢印では正側）と結像面側とを用いる。さらに、以下では、図９および図１２等に示すように、押圧機構部６２（その後述するスライダ受部６４）における撮影光軸方向Ｄｏと調整方向Ｄａとに直交する方向を位置決め方向Ｄｐとし、図１２を正面視して左側を正側とし、右側を負側とする。なお、この位置決め方向Ｄｐは、押圧機構部６２が設けられた位置における、第５レンズ用支持枠４６（その後述する支持孔４６ｄ）の中心軸（撮影光軸ＯＡ）を中心とする円に対する接線方向となる。
【００４１】
レンズ調芯機構６０が設けられる第５レンズ用支持枠４６は、図４から図６に示すように、大径部４６ａと小径部４６ｂとを有する。その大径部４６ａには、上述した第５カムフォロア４６ｃが、回転方向で見た等間隔な３箇所で外周面から撮影光軸ＯＡに対する径方向の外側へ向けて突出して設けられている。第５レンズ用支持枠４６では、大径部４６ａの結像面側は開放されている。また、第５レンズ用支持枠４６では、小径部４６ｂの中央に第５レンズ保持枠４５を支持するための支持孔４６ｄ（図３および図４参照）が設けられている。その支持孔４６ｄは、支持する第５レンズ保持枠４５が撮影光軸ＯＡと直交する方向（径方向）に移動することを可能とするだけの遊び（間隔）を有する内径寸法とされている。
【００４２】
第５レンズ用支持枠４６の小径部４６ｂには、２つのカム受部６３と、２つのスライダ受部６４と、が設けられている。この両カム受部６３は、繰出機構部６１としての後述する調整カム部材６９を支持する箇所である（図１０等参照）。２つのカム受部６３は、小径部４６ｂの前側縁部（被写体側）であって支持孔４６ｄに面する箇所に設けられ、撮影光軸方向Ｄｏ（撮影光軸ＯＡ方向）に伸びる板状を呈する。この両カム受部６３は、第５レンズ保持枠４５の後述する接触端部６５に対応すべく、支持孔４６ｄの内周方向（撮影光軸ＯＡ回りの方向）で見て所定の間隔を置いて設けられている。両カム受部６３は、本実施例では、レンズ調芯機構６０に設定された２つの調整方向Ｄａ、すなわち第１調整方向Ｄａ１および第２調整方向Ｄａ２に対応して設けられている。
【００４３】
この各カム受部６３では、図１０および図１１に示すように、第５レンズ用支持枠４６（支持孔４６ｄ）の径方向（調整方向Ｄａ）に凹んで形成された支持凹所６３ａと、その支持凹所６３ａの奥壁面６３ｂの中央を貫通する軸孔６３ｃと、を有する。この支持凹所６３ａおよび軸孔６３ｃは、その軸線方向が撮影光軸ＯＡに直交する面に沿って撮影光軸ＯＡに向かう方向（径方向）とされている。また、奥壁面６３ｂは、支持凹所６３ａの軸線方向に直交するものとされている。その奥壁面６３ｂには、明確な図示は略すが回転規制部が設けられている。
【００４４】
２つのスライダ受部６４は、図４から図６に示すように、押圧機構部６２としての後述するスライダ７１が設けられる箇所である。この２つのスライダ受部６４は、小径部４６ｂの前側縁部（被写体側）で支持孔４６ｄに面する箇所であって、調整方向Ｄａで各カム受部６３と対向する位置に設けられている。両スライダ受部６４は、第５レンズ用支持枠４６（支持孔４６ｄ）の径方向（調整方向Ｄａ）に伸びつつ撮影光軸方向Ｄｏの結像面側に凹んで形成されており、後述するスライダ７１を径方向（調整方向Ｄａ）に移動可能に受け入れることを可能とする大きさ寸法とされている。両スライダ受部６４は、本実施例では、レンズ調芯機構６０に設定された２つの調整方向Ｄａ、すなわち第１調整方向Ｄａ１および第２調整方向Ｄａ２に対応して設けられている。このため、２つのカム受部６３と２つのスライダ受部６４とは、第５レンズ用支持枠４６（支持孔４６ｄ）の中心軸線を中心とする円周上で略９０度間隔で配置されている。
【００４５】
この各スライダ受部６４では、底壁部６４ａおよびバネ座６４ｂ（図１３参照）と、被押当部６４ｃおよび位置決め部６４ｄ（図１４参照）と、を有する。底壁部６４ａは、図１３に示すように、各スライダ受部６４における結像面側の壁部を形成するものであり、その被写体側の上面が第５レンズ用支持枠４６（支持孔４６ｄ）の撮影光軸方向Ｄｏに直交する平坦面とされている。
【００４６】
バネ座６４ｂは、押圧機構部６２としての後述するコイルバネ７２（その一端座巻部７２ａ）が宛がわれる箇所である。このバネ座６４ｂは、小径部４６ｂの内縁が、位置決め方向Ｄｐを含みかつ撮影光軸方向Ｄｏの被写体側から結像面側へ向かうに連れて調整方向Ｄａの外側（負側）へと変位する傾斜を為す平坦面とされて構成されている。換言すると、バネ座６４ｂは、撮影光軸方向Ｄｏに対して角度（θ）の傾斜を為すものとされている。そのバネ座６４ｂには、取付突起６４ｅが設けられている。その取付突起６４ｅは、平坦なバネ座６４ｂに対する法線方向に突出する円柱状を呈し、後述するコイルバネ７２（その一端座巻部７２ａ）の内方に挿入することが可能な大きさ寸法とされている。このため、取付突起６４ｅは、中心軸線が調整方向Ｄａに対して角度（θ）の傾斜を為すものとされている。取付突起６４ｅは、後述するスライダ７１がスライダ受部６４に適切に設けられた状態において、そのスライダ７１に設けられた後述する取付突起７１ｂと対向する位置関係とされている。
【００４７】
被押当部６４ｃと位置決め部６４ｄとは、図１４に示すように、位置決め方向Ｄｐで対向して設けられている。その被押当部６４ｃは、調整方向Ｄａを含む平坦面であって、位置決め方向Ｄｐ正側（位置決め部６４ｄ側）へと向かうに連れて撮影光軸方向Ｄｏの結像面側へと変位する傾斜を為している。被押当部６４ｃは、後述するように、スライダ７１がスライダ受部６４に適切に設けられると、後述する拘束押圧部７１ｄ（図９等参照）と撮影光軸方向Ｄｏで対向する位置関係とされている。
【００４８】
位置決め部６４ｄは、位置決め方向Ｄｐ負側（被押当部６４ｃ側）へと突出されて形成されており、その位置決め方向Ｄｐおよび撮影光軸方向Ｄｏを含む断面で見て半円形状（曲面状）を呈する。なお、位置決め部６４ｄは、位置決め方向Ｄｐ負側に曲面を形成するものであれば、半球状とされていてもよい。この位置決め部６４ｄは、後述するように、スライダ７１がスライダ受部６４に適切に設けられると、その後述する位置決め押当部７１ｅと位置決め方向Ｄｐで対向する位置関係とされている。
【００４９】
また、各スライダ受部６４には、明確な図示は略すが、後述するスライダ７１のフック７１ｇ（図９参照）と撮影光軸方向Ｄｏで引っ掛かることが可能とされた引掛部が設けられている。当該引掛部は、底壁部６４ａ（図１３参照）との協働により、スライダ受部６４に設けられたスライダ７１が、調整方向Ｄａへと移動することを可能としつつスライダ受部６４から脱落することを防止する。この各スライダ受部６４および各カム受部６３が設けられた第５レンズ用支持枠４６の支持孔４６ｄに第５レンズ保持枠４５が設けられる（図３等参照）。
【００５０】
その第５レンズ保持枠４５は、図７に示すように、光軸補正レンズ群として設定された第５レンズ群３５を保持する。第５レンズ保持枠４５は、第５レンズ用支持枠４６の支持孔４６ｄに収容可能な円板形状を呈し（図３から図６等参照）、中央に第５レンズ群３５を保持するための保持孔４５ａが設けられている。この第５レンズ保持枠４５は、偏芯調整（調芯）のために、第５レンズ用支持枠４６の支持孔４６ｄ内で撮影光軸ＯＡと直交する方向（設定された調整方向Ｄａ）に変位することを可能とするだけの遊び（間隔）を有する外径寸法とされている。
【００５１】
第５レンズ保持枠４５には、繰出機構部６１としての接触端部６５と、押圧機構部６２としての１対のピン６６と、がそれぞれ２箇所に設けられている。接触端部６５は、第５レンズ保持枠４５の外周面から径方向（調整方向Ｄａ）に突出されており、その突出端６５ａが尖端状とされている（図１１等参照）。この接触端部６５は、第５レンズ用支持枠４６の周方向（撮影光軸ＯＡ回りの方向）で見て、各カム受部６３に保持される後述する調整カム部材６９に対して突出端６５ａが所定の位置となるように、所定の間隔を置いて設けられている（図５等参照）。２つの接触端部６５は、本実施例では、一方（第１接触端部６５１）の突出端６５ａが第１調整方向Ｄａ１上に位置し、他方（第２接触端部６５２）の突出端６５ａが第２調整方向Ｄａ２上に位置する位置関係とされている（図６等参照）。なお、突出端６５ａは、本実施例では、尖端状とされているが、後述する調整カム部材６９の回転操作を容易なものとすべく、後述するように接触される調整カム部材６９の調整カム面６９ｄとの摩擦を抑制するものであればよく、本実施例に限定されるものではない。
【００５２】
一対のピン６６は、設定された調整方向Ｄａで接触端部６５と対を為して設けられている。この一対のピン６６は、第５レンズ保持枠４５の外周面から径方向（調整方向Ｄａ）に突出されたフランジ部６６ａ（図７、図１３および図１４参照）から被写体側へ向けて撮影光軸方向Ｄｏに伸びる中空の円柱状を呈し、互いに等しい大きさ寸法とされている。この一対のピン６６は、互いの中心を通る線分Ｌ１が調整方向Ｄａと直交する位置関係とされている。このため、一対のピン６６では、双方の接線を含む２つの線分Ｌ２（平面）が、互いに平行であるとともに調整方向Ｄａと直交する。このことから、一対のピン６６では、双方の接線を含む２つの線分Ｌ２（平面）および互いの中心を通る線分Ｌ１が、位置決め方向Ｄｐおよび撮影光軸方向Ｄｏを含む面上に設定されている。
【００５３】
この第５レンズ保持枠４５には、４つの押当受部６７が設けられている。その各押当受部６７は、第５レンズ保持枠４５の外周面から撮影光軸ＯＡに対する径方向に突出されており、像面側（図７を正面視して裏側）に押圧受面６７ａが設けられている。この押圧受面６７ａ（押当受部６７）は、後述する光軸側押圧部材６８（図４（ｂ）および図５等参照）からの撮影光軸方向Ｄｏへの押圧力（光軸側押圧力）を受ける箇所となる。この４つの押当受部６７は、撮影光軸ＯＡに直交する面で見て撮影光軸ＯＡを挟んで対を為すように、第５レンズ用支持枠４６の周方向（撮影光軸ＯＡ回りの方向）で見て所定の間隔を置いて設けられている。４つの押当受部６７は、後述するように、第５レンズ用支持枠４６（その大径部４６ａ）に設けられる２つの光軸側押圧部材６８に対して各押圧受面６７ａが所定の位置となるように設けられている（図４（ｂ）および図５等参照）。この４つの押当受部６７は、本実施例では、撮影光軸ＯＡ（第５レンズ群３５のレンズ光軸）に直交する面で見て、撮影光軸ＯＡに関して点対称となる位置関係とされている。
【００５４】
この第５レンズ保持枠４５は、図４（ｂ）および図５に示すように、２つの光軸側押圧部材６８により第５レンズ用支持枠４６に押し当てられる。その各光軸側押圧部材６８は、第５レンズ保持枠４５に撮影光軸方向Ｄｏの被写体側への押圧力（光軸側押圧力）を付与するものであり、本実施例では長尺な板状のばね部材で形成されている。各光軸側押圧部材６８は、長尺方向で見た中央位置が、結像面側から第５レンズ用支持枠４６の大径部４６ａに固定部材６８ａにより固定されて設けられ、各長尺端部６８ｂで第５レンズ保持枠４５の押当受部６７の押圧受面６７ａ（図７参照）を被写体側へと押圧する。第５レンズ保持枠４５では、このように各光軸側押圧部材６８により第５レンズ用支持枠４６に押し当てられると、保持する第５レンズ群３５のレンズ光軸が撮影光軸方向Ｄｏと一致（撮影光軸ＯＡと平行と）される。なお、光軸側押圧部材６８は、上記した機能を有するものであればよく、圧縮される動作に抗する弾性力を発揮する圧縮コイルバネや、伸長される動作に抗する弾性力を発揮する伸長コイルバネや、ゴム等を用いるものであってもよく、本実施例の構成に限定されるものではない。
【００５５】
その第５レンズ保持枠４５を支持する繰出機構部６１は、調整カム部材６９を有する。その調整カム部材６９は、図８に示すように、互いに等しい軸線（以下では、中心軸線ＭＡとする）を有する大径部分６９ａと小径部分６９ｂとが連続された段付きの円柱形状を呈する。調整カム部材６９では、大径部分６９ａが、第５レンズ用支持枠４６のカム受部６３の支持凹所６３ａに回転自在に挿入することが可能な大きさ寸法とされている（図１０参照）。その大径部分６９ａの裏面（図８（ａ）を正面視して手前側の面）が、中心軸線ＭＡに直交しかつ当該カム受部６３の支持凹所６３ａの奥壁面６３ｂと面で接触することを可能（図１１参照）とする平坦な座面６９ｃとされている。また、調整カム部材６９では、小径部分６９ｂが、第５レンズ用支持枠４６のカム受部６３の軸孔６３ｃに回転自在に嵌め入れることが可能とされている（図４および図１１参照）。
【００５６】
このため、調整カム部材６９では、小径部分６９ｂが、カム受部６３（その軸孔６３ｃ）に対する回転軸として機能する。その回転軸線すなわち小径部分６９ｂの中心軸線ＭＡは、調整カム部材６９がカム受部６３に設けられた状態において、接触端部６５と撮影光軸ＯＡとを結ぶ線分（調整方向Ｄａ）に対して、平行な状態を維持しつつ所定の寸法δだけずらした（オフセットさせた）位置関係とされている（図１０参照）。
【００５７】
この調整カム部材６９では、大径部分６９ａの表面（図８（ｂ）を正面視して手前側の面）に、調整カム面６９ｄが設けられている。この調整カム面６９ｄは、中心軸線ＭＡを中心とする回転方向で見て、大径部分６９ａにおける中心軸線ＭＡ方向で見た高さ寸法、すなわち座面６９ｃを基準とする中心軸線ＭＡ方向で見た大径部分６９ａの厚さ寸法を連続的に変化させるように、螺旋状とされた平面により規定されている。換言すると、調整カム面６９ｄは、中心軸線ＭＡ方向に対して傾斜する平面であり、中心軸線ＭＡに直交する平面である座面６９ｃとの間隔、すなわち中心軸線ＭＡ方向で見た位置を漸次的に変化させる。調整カム面６９ｄは、中心軸線ＭＡを中心とする回転方向で見た等しい位置においては、中心軸線ＭＡに対する径方向での位置に拘らず厚さ寸法（座面６９ｃとの間隔）が等しいものとされている。
【００５８】
また、調整カム部材６９では、大径部分６９ａの裏面側に、回転規制凸部６９ｅが設けられている。この回転規制凸部６９ｅは、大径部分６９ａの裏面（座面６９ｃ）から中心軸線ＭＡ方向に突出されている。回転規制凸部６９ｅは、第５レンズ用支持枠４６のカム受部６３の支持凹所６３ａに大径部分６９ａが挿入された状態（図１０等参照）において、カム受部６３の回転規制部（図示せず）と中心軸線ＭＡを中心とする回転方向で当たることが可能とされている。このため、調整カム部材６９は、回転規制凸部６９ｅとカム受部６３の回転規制部とにより、カム受部６３内での回転可能な範囲が規制される。この回転可能な範囲は、後述するように互いに接触する接触端部６５の突出端６５ａと調整カム面６９ｄとによる支持位置において、設定される調整方向Ｄａでの変位可能な範囲を鑑みて設定されている。
【００５９】
さらに、調整カム部材６９では、小径部分６９ｂの突出端に、操作孔６９ｆが設けられている。この操作孔６９ｆは、調整カム部材６９の回転操作のための治具（工具）を嵌め入れることが可能とされた凹所であり、本実施例では正面視長方形状の長穴とされている。
【００６０】
繰出機構部６１（調整カム部材６９）と協働して第５レンズ保持枠４５を支持する押圧機構部６２は、スライダ７１とコイルバネ７２とを有する（図４および図５等参照）。このスライダ７１は、図６等に示すように、第５レンズ用支持枠４６において、カム受部６３と調整方向Ｄａで対向されたスライダ受部６４に設けられる。スライダ７１は、明確な図示は略すが、スライダ受部６４内において、調整方向Ｄａ（第５レンズ用支持枠４６（支持孔４６ｄ）の径方向）に移動することを可能とするだけの遊び（間隔）を有する大きさ寸法とされている。このスライダ７１は、図９に示すように、バネ受面７１ａと取付突起７１ｂとガイド溝７１ｃと拘束押圧部７１ｄと位置決め押当部７１ｅと取付面７１ｆとフック７１ｇとを有する。
【００６１】
そのバネ受面７１ａは、後述するコイルバネ７２（その他端座巻部７２ｂ）が押し当てられる箇所を構成するものであり、平坦面とされている。バネ受面７１ａは、スライダ７１がスライダ受部６４に適切に設けられた状態において、位置決め方向Ｄｐを含み、撮影光軸方向Ｄｏの被写体側から結像面側へ向かうに連れて調整方向Ｄａの外側へと変位する傾斜を為している（図１３等参照）。このバネ受面７１ａは、撮影光軸方向Ｄｏに対する傾斜角度が、撮影光軸方向Ｄｏに対してバネ座６４ｂが為す角度（図１３の符号θ参照）すなわち調整方向Ｄａに対して取付突起６４ｅの中心軸線が為す角度（図１３の符号θ参照）と等しいものとされている。このバネ受面７１ａに取付突起７１ｂが設けられている。
【００６２】
その取付突起７１ｂは、平坦なバネ受面７１ａに対する法線方向に突出して設けられており、後述するコイルバネ７２（その他端座巻部７２ｂ）の内方に挿入することが可能な大きさ寸法とされている（図１３等参照）。このため、取付突起７１ｂは、中心軸線が調整方向Ｄａに対して角度（図１３の符号θ参照）の傾斜を為すものとされている。この取付突起７１ｂは、スライダ７１がスライダ受部６４に適切に設けられた状態において、そのスライダ受部６４に設けられた取付突起６４ｅと対向する位置関係とされている（図１３等参照）。
【００６３】
ガイド溝７１ｃは、下面（スライダ７１がスライダ受部６４に適切に設けられた状態における結像面側となる面）に設けられている。このガイド溝７１ｃは、スライダ７１の下面が、部分的に撮影光軸方向Ｄｏで上面側（被写体側）へ向けて凹まされて形成されており、調整方向Ｄａ（径方向）で所定の大きさ寸法とされつつスライダ７１を位置決め方向Ｄｐに横切って設けられている。このため、ガイド溝７１ｃは、調整方向Ｄａに直交するとともに、その調整方向Ｄａで見て所定の寸法で対を為すガイド面７１ｈを規定している。ガイド溝７１ｃは、第５レンズ保持枠４５に設けられた１対のピン６６を、１対のガイド面７１ｈの間で位置決め方向Ｄｐに相対的に移動することを可能としつつ、撮影光軸方向Ｄｏに受け入れることが可能な大きさ寸法とされている（図１２から図１６等参照）。
【００６４】
拘束押圧部７１ｄは、スライダ７１における位置決め方向Ｄｐの負側の側面から、その位置決め方向Ｄｐの負側へと突出されて形成されており、結像面側が曲面７１ｉとされている。この曲面７１ｉは、本実施例では、位置決め方向Ｄｐおよび撮影光軸方向Ｄｏを含む断面で見て、調整方向Ｄａと平行な軸線を中心とする円形状とされている。なお、拘束押圧部７１ｄは、結像面側に曲面を形成するものであれば、半球状とされていてもよい。この拘束押圧部７１ｄは、スライダ７１がスライダ受部６４に適切に設けられた状態において、そのスライダ受部６４の被押当部６４ｃと曲面７１ｉとが撮影光軸方向Ｄｏで対向する位置関係とされている（図１４参照）。
【００６５】
位置決め押当部７１ｅは、スライダ７１における位置決め方向Ｄｐの正側の側面から、その位置決め方向Ｄｐの正側へと突出されて形成されている。この位置決め押当部７１ｅは、本実施例では、位置決め方向Ｄｐおよび撮影光軸方向Ｄｏを含む断面で見て、調整方向Ｄａに平行な直線に関して対象とされた各傾斜面７１ｊを規定する（図１４参照）。位置決め押当部７１ｅは、位置決め方向Ｄｐの負側へと突出された３つの傾斜突起７１ｋで構成されており、それぞれに傾斜面７１ｊが設けられている。この位置決め押当部７１ｅは、図１４に示すように、スライダ７１がスライダ受部６４に適切に設けられた状態において、そのスライダ受部６４の位置決め部６４ｄと各傾斜面７１ｊとが位置決め方向Ｄｐ方向で対向する位置関係とされている。位置決め押当部７１ｅは、位置決め方向Ｄｐおよび撮影光軸方向Ｄｏを含む断面で見ると、撮影光軸方向Ｄｏで対を為す傾斜面７１ｊでＶ字形状の凹みを形成しており、その凹みの間にスライダ受部６４の位置決め部６４ｄを受け入れることが可能とされている。
【００６６】
取付面７１ｆは、図９に示すように、スライダ７１における結像面側に設けられており、スライダ７１がスライダ受部６４に適切に設けられた状態において、撮影光軸方向Ｄｏに直交する平坦面とされている。フック７１ｇは、取付面７１ｆの調整方向Ｄａの負側の箇所において、位置決め方向Ｄｐで対を為しかつ結像面側へと突出し、その突出端が互いに離れる方向へと突出されて設けられている。
【００６７】
このスライダ７１は、第５レンズ用支持枠４６のスライダ受部６４の底壁部６４ａに取付面７１ｆが対向されるとともに（図１３参照）、スライダ受部６４の引掛部（図示せず）に１対のフック７１ｇが引掛けられることにより、スライダ受部６４から脱落することが防止されつつ調整方向Ｄａへと移動することが可能とされる。このため、スライダ７１は、支持部としての第５レンズ用支持枠４６（そのスライダ受部６４）に、調整方向Ｄａへと移動可能に設けられる変位部材として機能する。
【００６８】
このようにスライダ７１がスライダ受部６４に適切に設けられた状態において、そのスライダ７１のガイド溝７１ｃには、第５レンズ保持枠４５に設けられた１対のピン６６が挿入される。その第５レンズ保持枠４５は、各光軸側押圧部材６８からの光軸側押圧力により第５レンズ用支持枠４６の大径部４６ａに対して被写体側へ向けて押し当てられている。また、スライダ７１の拘束押圧部７１ｄは、その曲面７１ｉとスライダ受部６４の被押当部６４ｃとが撮影光軸方向Ｄｏで対向される（図１４参照）。さらに、スライダ７１の位置決め押当部７１ｅは、その各傾斜面７１ｊとスライダ受部６４の位置決め部６４ｄとが位置決め方向Ｄｐ方向で対向される（図１４参照）。このスライダ７１とスライダ受部６４との間にコイルバネ７２が設けられる（図４から図６および図１３等参照）。
【００６９】
このコイルバネ７２は、図１２および図１３等に示すように、螺旋状とされた線材により構成され、両端に環状の一端座巻部７２ａと他端座巻部７２ｂとが設けられている。コイルバネ７２は、スライダ受部６４の取付突起６４ｅおよびスライダ７１のバネ受面７１ａの取付突起７１ｂの外径寸法よりも大きな内径寸法とされている。このコイルバネ７２は、無負荷状態において最も伸びて、一端側の一端座巻部７２ａと他端側の他端座巻部７２ｂとを接近させる動作に抗する弾性力を発揮する。コイルバネ７２は、圧縮された状態で、一端座巻部７２ａが取付突起６４ｅを取り巻きつつバネ座６４ｂに宛がわれてスライダ受部６４（第５レンズ用支持枠４６）に設けられるとともに、他端座巻部７２ｂが取付突起７１ｂを取り巻きつつバネ受面７１ａに宛がわれてスライダ７１に設けられる。
【００７０】
すると、コイルバネ７２は、図１３に示すように、スライダ受部６４において、スライダ７１に対して調整押圧力Ｆａと拘束押圧力Ｆｒとを付与する。これは、以下のことによる。スライダ受部６４の取付突起６４ｅは、中心軸線が調整方向Ｄａに対して角度（θ）の傾斜を為して、調整方向Ｄａ正側へ向かうに連れて撮影光軸方向Ｄｏの被写体側から結像面側へと変位するものとされている。また、スライダ７１の取付突起７１ｂは、スライダ７１がスライダ受部６４に適切に設けられた状態において、調整方向Ｄａに対して角度（θ）の傾斜を為して、調整方向Ｄａ負側へ向かうに連れて撮影光軸方向Ｄｏの結像面側から被写体側へと変位するものとされている。このため、一端座巻部７２ａが取付突起６４ｅを取り巻きかつ他端座巻部７２ｂが取付突起７１ｂを取り巻くコイルバネ７２は、その軸線方向が調整方向Ｄａに対して略角度θの傾斜を為して、スライダ受部６４（第５レンズ用支持枠４６）とスライダ７１とを掛け渡している。このため、コイルバネ７２は、スライダ７１に対して、スライダ受部６４の取付突起６４ｅ（バネ座６４ｂ）を基準として、調整方向Ｄａに対して略角度θの傾斜を為す押圧力Ｆを付与することとなるので、スライダ７１には、その傾斜角度θに応じた大きさの、調整方向Ｄａ正側への調整押圧力Ｆａと、撮影光軸方向Ｄｏの結像面側への拘束押圧力Ｆｒと、が作用することとなる。
【００７１】
このようにスライダ７１に結像面側への拘束押圧力Ｆｒが作用すると、図１４に示すように、そのスライダ７１の拘束押圧部７１ｄにはそれに順ずる大きさの結像面側への拘束押圧力Ｆｒ´が作用する。ここで、拘束押圧部７１ｄ（その曲面７１ｉ）の結像面側には、スライダ受部６４の被押当部６４ｃが存在する。その被押当部６４ｃは、調整方向Ｄａを含みかつ位置決め方向Ｄｐ正側（位置決め部６４ｄ側）へと向かうに連れて位置決め方向Ｄｐの結像面側へと変位する傾斜面とされている。このため、拘束押圧部７１ｄが被押当部６４ｃに接触すると、拘束押圧力Ｆｒ´に対する被押当部６４ｃからの反力Ｆｏと拘束押圧力Ｆｒ´との合成力Ｆｃが拘束押圧部７１ｄに作用する。これにより、拘束押圧部７１ｄでは、被押当部６４ｃに対して合成力Ｆｃが作用する方向へと変位しようとする。すると、合成力Ｆｃの一部は、位置決め方向Ｄｐ正側への分力（Ｆｐ）として被押当部６４ｃすなわちスライダ７１に作用するので、このスライダ７１がスライダ受部６４において位置決め方向Ｄｐ正側へと変位しようとする。
【００７２】
そのスライダ７１の位置決め方向Ｄｐ正側には、位置決め押当部７１ｅが設けられており、その位置決め方向Ｄｐ正側には、スライダ受部６４の位置決め部６４ｄが対向されている。このため、スライダ７１がスライダ受部６４において位置決め方向Ｄｐ正側へと変位しようとすると、スライダ７１の位置決め押当部７１ｅがスライダ受部６４の位置決め部６４ｄと位置決め方向Ｄｐで接触する。これにより、スライダ７１は、スライダ受部６４における位置決め方向Ｄｐでの位置が、位置決め押当部７１ｅと位置決め部６４ｄとの接触位置により決定される。本実施例では、位置決め部６４ｄが、位置決め方向Ｄｐの負側（被押当部６４ｃ側）へと突出された曲面状を呈しているとともに、位置決め押当部７１ｅが、位置決め方向Ｄｐおよび撮影光軸方向Ｄｏを含む断面で見て撮影光軸方向Ｄｏで対を為す傾斜面７１ｊでＶ字形状の凹みを形成し、その凹みの間に位置決め部６４ｄを受け入れることが可能とされている。このため、本実施例では、スライダ７１は、拘束押圧部７１ｄ（その曲面７１ｉ）および位置決め部６４ｄと協働して、曲面状の位置決め部６４ｄと各傾斜面７１ｊとの案内作用により、スライダ受部６４における撮影光軸方向Ｄｏでの位置も決定される。
【００７３】
このことから、スライダ７１は、コイルバネ７２からの結像面側への拘束押圧力Ｆｒによりスライダ受部６４（第５レンズ用支持枠４６）に押し当てられることとなる。このため、スライダ７１は、そのスライダ受部６４に対する位置決め方向Ｄｐおよび撮影光軸方向Ｄｏを含む面に沿う方向、すなわち調整方向Ｄａに直交する方向へと移動することが防止されて位置決めされる。ここで、スライダ７１では、調整方向Ｄａに直交する方向へとスライダ受部６４に押し当てられている。また、スライダ受部６４は、スライダ７１の調整方向Ｄａへの変位を許容する構成とされている。このことから、スライダ７１は、拘束押圧力Ｆｒによりスライダ受部６４へと押し当てられていることに拘らず、スライダ受部６４において調整方向Ｄａへと変位することが可能とされている。
【００７４】
このため、スライダ７１は、図１３に示すように、コイルバネ７２からの調整方向Ｄａ正側への調整押圧力Ｆａにより、スライダ受部６４において調整方向Ｄａ正側へと変位しようとする。すると、スライダ７１では、ガイド溝７１ｃに挿入された第５レンズ保持枠４５の１対のピン６６の双方を均等に調整方向Ｄａ正側へと押圧する。これは、１対のピン６６が、双方の接線を含む２つの線分Ｌ２（平面）が調整方向Ｄａと直交して互いに平行とされている（図７参照）とともに、ガイド溝７１ｃが、調整方向Ｄａに直交する１対のガイド面７１ｈを規定していることによる。このため、コイルバネ７２は、第５レンズ用支持枠４６（支持部）に調整方向Ｄａへと移動可能に設けられたスライダ７１（変位部材）を、調整方向Ｄａ正側すなわち第５レンズ保持枠４５を挟んで調整方向Ｄａ正側に存在する繰出機構部６１（調整カム部材６９）へ向けた調整押圧力Ｆａを付与するとともに、上述した拘束押圧力Ｆｒを付与する調整押圧部材として機能する。なお、調整押圧部材は、上記した機能を有するものであれば、圧縮コイルバネ（コイルバネ７２）ではなく板ばねや伸長コイルバネやねじりコイルばねやゴム等を用いるものであってもよく、本実施例に限定されるものではない。このスライダ受部６４に設けられたスライダ７１およびコイルバネ７２と、第５レンズ保持枠４５に設けられた１対のピン６６と、が押圧機構部６２として機能する。
【００７５】
そのガイド溝７１ｃは、スライダ７１がスライダ受部６４に適切に設けられた状態において、スライダ７１を位置決め方向Ｄｐに横切って設けられて、調整方向Ｄａに直交する１対のガイド面７１ｈを規定している。また、一対のピン６６は、互いの中心を通る線分Ｌ１が調整方向Ｄａと直交する位置関係とされ、双方の接線を含む２つの線分Ｌ２（平面）が調整方向Ｄａと直交して互いに平行とされている。このため、ガイド溝７１ｃとピン６６とは、位置決め方向Ｄｐでは互いに引っ掛かることはなく、位置決め方向Ｄｐに相対的に変位することが可能とされている。このことから、ガイド溝７１ｃとピン６６とは、コイルバネ７２からの拘束押圧力Ｆｒにより、スライダ７１のスライダ受部６４に対する調整方向Ｄａに直交する方向への位置決めを阻害することが防止されている。
【００７６】
加えて、このレンズ調芯機構６０では、図１５および図１６に示すように、スライダ７１として、第１押圧機構部６２１としての第１スライダ７１１と、第２押圧機構部６２２としての第２スライダ７１２と、が設けられている。その第１スライダ７１１には、第１押圧機構部６２１としての１対の第１ピン６６１がガイド溝７１ｃに挿入されているとともに、第２スライダ７１２には、第２押圧機構部６２２としての１対の第２ピン６６２がガイド溝７１ｃに挿入されている。ここで、第１調整方向Ｄａ１と第２調整方向Ｄａ２とは、撮影光軸ＯＡ（撮影光軸方向Ｄｏ）に直交する面上において互いに直交するものとされていることから、一方の押圧機構部６２における調整方向Ｄａが他方の押圧機構部６２における位置決め方向Ｄｐと平行な関係とされている。すなわち、第１押圧機構部６２１が対応された第１調整方向Ｄａ１は、第２押圧機構部６２２における位置決め方向Ｄｐと平行であり、第２押圧機構部６２２が対応された第２調整方向Ｄａ２は、第１押圧機構部６２１における位置決め方向Ｄｐと平行である。
【００７７】
このため、第１押圧機構部６２１としての第１スライダ７１１の第１調整方向Ｄａ１への変位により、後述するように第５レンズ保持枠４５が第１調整方向Ｄａ１へと変位される場合（図１５の矢印Ａ１参照）、第２押圧機構部６２２としての第２スライダ７１２では位置決め方向Ｄｐが第１調整方向Ｄａ１と平行となることから、そのガイド溝７１ｃと１対の第２ピン６６２との第１調整方向Ｄａ１への相対的な変位を許容するとともに第２調整方向Ｄａ２への相対的な変位を防止する。このため、第２スライダ７１２のガイド溝７１ｃと第５レンズ保持枠４５の１対の第２ピン６６２とは、第２押圧機構部６２２において、後述するように第１繰出機構部６１１と第１押圧機構部６２１とによる第１調整方向Ｄａ１での第５レンズ保持枠４５の位置の調整（図１５の矢印Ａ１参照）の際に、第５レンズ保持枠４５の移動方向を第１調整方向Ｄａ１へと案内する第２ガイド機構部として機能する。
【００７８】
また、第２押圧機構部６２２としての第２スライダ７１２の第２調整方向Ｄａ２への変位により、後述するように第５レンズ保持枠４５が第２調整方向Ｄａ２へと変位される場合（図１６の矢印Ａ２参照）、第１押圧機構部６２１としての第１スライダ７１１では位置決め方向Ｄｐが第２調整方向Ｄａ２と平行となることから、そのガイド溝７１ｃと１対の第１ピン６６１との第２調整方向Ｄａ２への相対的な変位を許容するとともに第１調整方向Ｄａ１への相対的な変位を防止する。このため、第１スライダ７１１のガイド溝７１ｃと第５レンズ保持枠４５の１対の第１ピン６６１とは、第１押圧機構部６２１において、後述するように第２繰出機構部６１２と第２押圧機構部６２２とによる第２調整方向Ｄａ２での第５レンズ保持枠４５の位置の調整（図１６の矢印Ａ２参照）の際に、第５レンズ保持枠４５の移動方向を第２調整方向Ｄａ２へと案内する第１ガイド機構部として機能する。
【００７９】
このレンズ鏡胴１３（レンズ調芯機構６０）は、次のように組み付けられる。なお、以下に記載する組み付け手順は一例であって、本実施例に限定されるものではない。第５レンズ保持枠４５を、図３から図６に示すように、保持孔４５ａで第５レンズ群３５を保持した状態で第５レンズ用支持枠４６の支持孔４６ｄに挿入し、２つの光軸側押圧部材６８により第５レンズ用支持枠４６に対して被写体側へと押圧した状態で、第５レンズ用支持枠４６に設ける。このとき、上述したように、第５レンズ保持枠４５が保持する第５レンズ群３５は、レンズ光軸が撮影光軸ＯＡと平行な状態となる。
【００８０】
この第５レンズ用支持枠４６では、各カム受部６３において、支持凹所６３ａに調整カム部材６９の大径部分６９ａを挿入するとともに軸孔６３ｃに調整カム部材６９の小径部分６９ｂを挿入し、奥壁面６３ｂに大径部分６９ａの裏側の座面６９ｃが面で当てて、繰出機構部６１としての調整カム部材６９を設ける。ここで、第１調整方向Ｄａ１に対応する第１繰出機構部６１１としての一方の接触端部６５（第１接触端部６５１）の突出端６５ａを、一方の調整方向Ｄａ（第１調整方向Ｄａ１）で一方の調整カム部材６９（第１調整カム部材６９１）の調整カム面６９ｄに接触させ、第２調整方向Ｄａ２に対応する第２繰出機構部６１２としての他方の接触端部６５（第２接触端部６５２）の突出端６５ａを、他方の調整方向Ｄａ（第２調整方向Ｄａ２）で他方の調整カム部材６９（第２調整カム部材６９２）の調整カム面６９ｄに接触させるように（図１０および図１１等参照）、第５レンズ保持枠４５の第５レンズ用支持枠４６（その支持孔４６ｄ）内での姿勢を設定する（図６等参照）。
【００８１】
この第５レンズ用支持枠４６の２つのスライダ受部６４のそれぞれに、スライダ７１およびコイルバネ７２を上述したように設ける（図１２から図１４等参照）。すると、各スライダ受部６４では、上述したように、調整方向Ｄａへと変位可能に設けられたスライダ７１に対して、コイルバネ７２から調整方向Ｄａの正側へ向けた調整押圧力Ｆａが付与される。このため、第１押圧機構部６２１としての第１スライダ７１１は、ガイド溝７１ｃに挿入された１対の第１ピン６６１を介して、第５レンズ保持枠４５を第１調整方向Ｄａ１の正側へと押圧する（図１５の矢印Ａ３参照）。すると、第５レンズ保持枠４５における第１繰出機構部６１１としての第１接触端部６５１の突出端６５ａが、第１調整方向Ｄａ１で第１調整カム部材６９１の調整カム面６９ｄに押し当てられる。また、第２押圧機構部６２２としての第２スライダ７１２は、ガイド溝７１ｃに挿入された１対の第２ピン６６２を介して、第５レンズ保持枠４５を第２調整方向Ｄａ２の正側へと押圧する（図１６の矢印Ａ４参照）。すると、第５レンズ保持枠４５における第２繰出機構部６１２としての第２接触端部６５２の突出端６５ａが、第２調整方向Ｄａ２で第２調整カム部材６９２の調整カム面６９ｄに押し当てられる。ここで、上述したように、各繰出機構部６１の支持凹所６３ａおよび軸孔６３ｃは、その軸線方向が調整方向Ｄａと平行とされていることから、各押圧機構部６２による第５レンズ保持枠４５に対する調整方向Ｄａでの押圧方向は、対応する各繰出機構部６１の調整カム部材６９の中心軸線ＭＡ方向と等しくなる。
【００８２】
これにより、第５レンズ群３５を保持する第５レンズ保持枠４５が、レンズ調芯機構６０としての繰出機構部６１と押圧機構部６２とにより、撮影光軸ＯＡに直交する面上での位置が調整可能に第５レンズ用支持枠４６（その支持孔４６ｄ）の内側に設けられる。このレンズ調芯機構６０では、第１繰出機構部６１１としての第１調整カム部材６９１の調整カム面６９ｄと、第１押圧機構部６２１としての第１スライダ７１１と、の挟み込みによる支持により、第５レンズ用支持枠４６に対する第１調整方向Ｄａ１での第５レンズ保持枠４５の位置が決定する（図１５の矢印Ａ１参照）。また、第５レンズ用支持枠４６では、第２繰出機構部６１２としての第２調整カム部材６９２の調整カム面６９ｄと、第２押圧機構部６２２としての第２スライダ７１２と、の挟み込みによる支持により、第５レンズ用支持枠４６に対する第２調整方向Ｄａ２での第５レンズ保持枠４５の位置が決定する（図１６の矢印Ａ２参照）。
【００８３】
レンズ調芯機構６０では、第５レンズ保持枠４５の各接触端部６５の突出端６５ａに、対応する各カム受部６３の調整カム部材６９の調整カム面６９ｄを、調整方向Ｄａ（第１調整方向Ｄａ１および第２調整方向Ｄａ２）で接触させている。また、各カム受部６３には、その奥壁面６３ｂに座面６９ｃが面で当てられて（図１１参照）、その裏面側に調整カム面６９ｄが設けられた調整カム部材６９が回転自在に設けられている。これらのことから、レンズ調芯機構６０では、各接触端部６５の突出端６５ａの接触位置で見ると、調整カム部材６９の中心軸線ＭＡ周りの回転姿勢に応じて、各カム受部６３を基準とする調整方向Ｄａ（中心軸線ＭＡ方向）での大径部分６９ａの厚さ寸法、すなわち第１調整方向Ｄａ１もしくは第２調整方向Ｄａ２上での位置が変化する。
【００８４】
このため、レンズ調芯機構６０では、例えば、極めて小さなマイナスドライバー等の調整用治具の先端を操作孔６９ｆに差し込んで各カム受部６３の調整カム部材６９を適宜回転操作することにより、調整カム面６９ｄ上において各接触端部６５の突出端６５ａを受ける位置（調整方向Ｄａでの支持位置）が変化し、その変化に応じて当該調整カム部材６９による第５レンズ保持枠４５の調整方向Ｄａでの支持位置を変化させることができ、その位置の変化に応じてコイルバネ７２が適宜伸縮してスライダ７１による第５レンズ保持枠４５の調整方向Ｄａでの支持位置を変位させることができる。
【００８５】
これにより、第１繰出機構部６１１としての第１調整カム部材６９１を適宜回転操作することで、第５レンズ用支持枠４６に対する第１調整方向Ｄａ１での第５レンズ保持枠４５の位置を調整することができる（図１５の矢印Ａ１参照）。このとき、第５レンズ保持枠４５は、第２ガイド機構部すなわち第２押圧機構部６２２の第２スライダ７１２のガイド溝７１ｃ（そのガイド面７１ｈ）と第５レンズ保持枠４５の１対の第２ピン６６２とにより、第５レンズ用支持枠４６に対する移動方向が第２スライダ７１２における位置決め方向Ｄｐすなわち第１調整方向Ｄａ１に案内される。
【００８６】
また、第２繰出機構部６１２としての第２調整カム部材６９２を適宜回転操作することで、第５レンズ用支持枠４６に対する第２調整方向Ｄａ２での第５レンズ保持枠４５の位置を調整することができる（図１６の矢印Ａ２参照）。このとき、第５レンズ保持枠４５は、第１ガイド機構部すなわち第１押圧機構部６２１の第１スライダ７１１のガイド溝７１ｃ（そのガイド面７１ｈ）と第５レンズ保持枠４５の１対の第１ピン６６１とにより、第５レンズ用支持枠４６に対する移動方向が第１スライダ７１１における位置決め方向Ｄｐすなわち第２調整方向Ｄａ２に案内される。
【００８７】
よって、各カム受部６３の調整カム部材６９を適宜回転操作することにより、調整カム面６９ｄのカム軌跡に倣うように、第５レンズ用支持枠４６内における第５レンズ保持枠４５の第１調整方向Ｄａ１および第２調整方向Ｄａ２での位置、すなわち撮影光軸ＯＡに直交する面内の位置を変化させることができる。
【００８８】
このレンズ調芯機構６０では、第５レンズ用支持枠４６内において、第５レンズ保持枠４５（第５レンズ群３５）を撮影光学系１２の撮影光軸ＯＡに直交する面に沿う方向に移動可能に保持する、すなわち第５レンズ保持枠４５の保持状態を維持したまま撮影光軸ＯＡに直交する面に沿う方向で見た第５レンズ保持枠４５の保持位置を調整することができる。このため、第５レンズ用支持枠４６に対する第５レンズ保持枠４５の位置関係を維持したまま、その第５レンズ用支持枠４６を直進ライナー４８内に組み付ける、すなわちレンズ鏡胴１３として組み付けることができる。
【００８９】
レンズ調芯機構６０では、各繰出機構部６１の調整カム部材６９における回転動作を、その回転軸となる中心軸線ＭＡ方向への移動に変換することで、撮影光学系１２の撮影光軸ＯＡに直交する面に沿う方向で見た第５レンズ群３５（第５レンズ保持枠４５）の位置の調整を行っている。このことから、各調整カム部材６９は、中心軸線ＭＡを中心とする回転方向で見て調整カム面６９ｄが設けられている角度範囲、すなわち当該回転方向で見た調整カム面６９ｄが存在する範囲で調整ストロークを規定し、中心軸線ＭＡ方向で見た調整カム面６９ｄの変位量、すなわち調整カム面６９ｄによる大径部分６９ａの厚さ寸法の変化量で、調整方向Ｄａへの最大調整量（調整幅）を規定している。
【００９０】
このレンズ調芯機構６０では、例えば、仮に組み付けたレンズ調芯機構６０を介して第５レンズ保持枠４５を支持する第５レンズ用支持枠４６を、レンズ鏡胴１３を構成すべく第１レンズ群３１から第４レンズ群３４とともに組み付けてから、第５レンズ群３５の調芯作業を行う。この場合、撮影光軸ＯＡ上で所定の距離に被写体（図示せず）を配置して、第１レンズ群３１から第５レンズ群３５でなる撮影光学系１２で結像させ、その被写体像の状態を観察しつつ２つの繰出機構部６１の調整カム部材６９を適宜回転操作する。被写体像が適切な状態となった位置が、第１レンズ群３１から第４レンズ群３４に対する第５レンズ群３５の適切な位置となる。これにより、第１レンズ群３１から第４レンズ群３４に対する第５レンズ群３５の調芯作業が完了する。なお、第５レンズ群３５をレンズ鏡胴１３として組み付ける前段階で、第５レンズ用支持枠４６における第５レンズ保持枠４５すなわち第５レンズ群３５の調芯作業を行うこともできる。
【００９１】
以上説明した構成により、本実施例のレンズ鏡胴１３（それが設けられた撮像装置１０）では、押圧機構部６２において、スライダ７１（変位部材）がコイルバネ７２（調整押当部材）からの結像面側への拘束押圧力Ｆｒによりスライダ受部６４（第５レンズ用支持枠４６）に押し当てられていることから、そのスライダ受部６４に対してスライダ７１が調整方向Ｄａに直交する方向へと移動することを防止することができる。換言すると、コイルバネ７２からの拘束押圧力Ｆｒにより、スライダ７１がスライダ受部６４に対して調整方向Ｄａに直交する方向へとガタつくことを防止することができ、調整方向Ｄａに直交する方向で位置決めすることができる。このため、繰出機構部６１により調整方向Ｄａでの支持位置を調整した際に、その調整方向Ｄａで第５レンズ保持枠４５（レンズ保持部）を挟む押圧機構部６２のスライダ７１が、調整方向Ｄａに直交する方向へと変位が生じることを防止することができるので、光軸補正レンズ群（本実施例では第５レンズ群３５）の位置を適切に調整することができる。
【００９２】
また、レンズ鏡胴１３（撮像装置１０）では、スライダ７１がコイルバネ７２（調整押当部材）によりスライダ受部６４（第５レンズ用支持枠４６）へと常時押し当てられてガタつくことが防止されていることから、光軸補正レンズ群（第５レンズ群３５）の位置を簡易にかつ適切に調整することができるとともに、その調整（調芯）した状態を適切に維持することができる。
【００９３】
さらに、レンズ鏡胴１３（撮像装置１０）では、押圧機構部６２のスライダ７１を調整方向Ｄａと直交する方向への拘束押圧力Ｆｒによりスライダ受部６４（第５レンズ用支持枠４６）に押し当てて位置決めするものであることから、スライダ７１が調整方向Ｄａに移動することへの影響を極めて小さなものとすることができる。このため、レンズ調芯機構６０では、調整方向Ｄａに直交する方向へのスライダ７１の変位を防止しつつ、繰出機構部６１による第５レンズ保持枠４５の調整方向Ｄａでの支持位置を変位させることに伴う押圧機構部６２におけるスライダ７１の調整方向Ｄａへの移動を円滑なものとすることができる。このため、光軸補正レンズ群（本実施例では第５レンズ群３５）の位置を簡易にかつ適切に調整することができる。
【００９４】
レンズ鏡胴１３（撮像装置１０）では、押圧機構部６２において、スライダ７１（変位部材）が繰出機構部６１と協働して第５レンズ保持枠４５を調整方向Ｄａで挟んで支持すべく、そのスライダ７１に調整方向Ｄａへの調整押圧力Ｆａを付与するコイルバネ７２が、当該スライダ７１に拘束押圧力Ｆｒを合わせて付与するものであることから、押圧機構部６２の構成を部品点数の増加を防止することができるとともに、簡易で小さな構成とすることができる。
【００９５】
レンズ鏡胴１３（撮像装置１０）では、押圧機構部６２において、スライダ受部６４（その取付突起６４ｅ（バネ座６４ｂ））を基準としてコイルバネ７２がスライダ７１に調整方向Ｄａに対して傾斜を為す押圧力Ｆを付与することにより、調整方向Ｄａ正側への調整押圧力Ｆａと撮影光軸方向Ｄｏの結像面側への拘束押圧力Ｆｒとをスライダ７１に作用させるものであることから、簡易な構成とすることができる。
【００９６】
レンズ鏡胴１３（撮像装置１０）では、押圧機構部６２において、コイルバネ７２を、軸線方向が位置決め方向Ｄｐに直交する面において調整方向Ｄａに対して傾斜を為してスライダ受部６４とスライダ７１とを掛け渡すものとすることにより、スライダ受部６４（その取付突起６４ｅ（バネ座６４ｂ））を基準としてコイルバネ７２がスライダ７１に調整方向Ｄａに対して傾斜を為す押圧力Ｆを付与するものであることから、簡易な構成とすることができる。
【００９７】
レンズ鏡胴１３（撮像装置１０）では、スライダ７１に設けた拘束押圧部７１ｄと、スライダ受部６４（第５レンズ用支持枠４６）に設けた被押当部６４ｃとにより、撮影光軸方向Ｄｏへの拘束押圧力Ｆｒの一部を位置決め方向Ｄｐで位置決め部６４ｄへと向かう移動力に変換し、スライダ受部６４（第５レンズ用支持枠４６）に対してスライダ７１を撮影光軸方向Ｄｏと位置決め方向Ｄｐとの２つの方向へと押し当てることができる。このため、スライダ７１が、スライダ受部６４（第５レンズ用支持枠４６）に対して、調整方向Ｄａに直交する方向へと移動することをより確実に防止することができ、調整方向Ｄａに直交する方向での位置決めをより確実なものとすることができる。
【００９８】
レンズ鏡胴１３（撮像装置１０）では、単一のコイルバネ７２（調整押当部材）で、実質的にスライダ７１に対して調整方向Ｄａへの押圧力と撮影光軸方向Ｄｏへの押圧力と位置決め方向Ｄｐへの押圧力とを作用させることができる。このため、より小さく簡易な構成とすることができる。
【００９９】
レンズ鏡胴１３（撮像装置１０）では、スライダ７１の拘束押圧部７１ｄにおいて、撮影光軸方向Ｄｏでスライダ受部６４（第５レンズ用支持枠４６）の被押当部６４ｃと対向する箇所が曲面７１ｉとされているので、スライダ７１が被押当部６４ｃに対して合成力Ｆｃが作用する方向へと変位しようとすることをより円滑なものとすることができる。
【０１００】
レンズ鏡胴１３（撮像装置１０）では、撮影光軸方向Ｄｏと位置決め方向Ｄｐとを直交するものとしていることから、スライダ７１のスライダ受部６４（第５レンズ用支持枠４６）に対する調整方向Ｄａに直交する方向への移動をより確実に防止することができ、調整方向Ｄａに直交する方向での位置決めをより確実なものとすることができる。換言すると、コイルバネ７２からの拘束押圧力Ｆｒを抑制しつつ、スライダ７１がスライダ受部６４に対してガタつくことを防止することができる。
【０１０１】
レンズ鏡胴１３（撮像装置１０）では、スライダ７１の位置決め方向Ｄｐ正側の位置決め押当部７１ｅが位置決め方向Ｄｐおよび撮影光軸方向Ｄｏを含む断面で見て撮影光軸方向Ｄｏで対を為す傾斜面７１ｊでＶ字形状の凹みを形成するものとされるとともに、スライダ受部６４において位置決め押当部７１ｅと位置決め方向Ｄｐで対向する位置決め部６４ｄが曲面状を呈するものとされ、その位置決め部６４ｄを位置決め押当部７１ｅの凹みの間で受け入れることを可能としていることから、拘束押圧部７１ｄ（その曲面７１ｉ）および位置決め部６４ｄと協働して、位置決め部６４ｄと各傾斜面７１ｊとの案内作用により、スライダ受部６４におけるスライダ７１の撮影光軸方向Ｄｏでの位置も決定することができる。
【０１０２】
レンズ鏡胴１３（撮像装置１０）では、レンズ調芯機構６０における第１押圧機構部６２１に第１ガイド機構部を設けるとともに第２押圧機構部６２２に第２ガイド機構部を設けていることから、一方の調整方向Ｄａでの支持位置を調整する際、第５レンズ用支持枠４６に対する第５レンズ保持枠４５（第５レンズ群３５（光軸補正レンズ群））の移動方向を当該調整方向Ｄａへと案内することができる。これにより、光軸補正レンズ群（本実施例では第５レンズ群３５）の位置の調整を簡易なものとすることができ、より適切に調芯することができる。
【０１０３】
レンズ鏡胴１３（撮像装置１０）では、各ガイド機構部としてのガイド溝７１ｃが設けられた各スライダ７１が、コイルバネ７２からの拘束押圧力Ｆｒによりスライダ受部６４に対して調整方向Ｄａに直交する方向へとガタつくことが防止されているので、調整方向Ｄａでの支持位置を調整する際の当該調整方向Ｄａへの第５レンズ保持枠４５の案内をより適切なものとすることができる。
【０１０４】
レンズ鏡胴１３（撮像装置１０）では、スライダ受部６４（第５レンズ用支持枠４６）に対して調整方向Ｄａと直交する方向へのガタが生じることを防止したスライダ７１に設けたガイド溝７１ｃに、第５レンズ保持枠４５に設けた一対のピン６６を挿入することで、ガイド機構部を構成していることから、スライダ７１およびそのガイド溝７１ｃ、それが配されるスライダ受部６４（第５レンズ用支持枠４６）、一対のピン６６（第５レンズ保持枠４５）等の大きさ寸法が高い精度で設定されていなくても、ガイド溝７１ｃが一対のピン６６を案内する方向を確実に位置決め方向Ｄｐとすることができる。
【０１０５】
レンズ鏡胴１３（撮像装置１０）では、第５レンズ用支持枠４６（そのスライダ受部６４）に配されるスライダ７１を位置決め方向Ｄｐに横切って設けたガイド溝７１ｃが規定する調整方向Ｄａに直交する１対のガイド面７１ｈと、第５レンズ保持枠４５において双方の接線を含む２つの線分Ｌ２（互いの中心を通る線分Ｌ１）が調整方向Ｄａと直交する一対のピン６６と、により、各ガイド機構部を構成していることから、簡易な構成でガイド溝７１ｃと一対のピン６６との相対的な移動方向を位置決め方向Ｄｐへと案内することができる。
【０１０６】
レンズ鏡胴１３（撮像装置１０）では、第５レンズ保持枠４５において双方の接線を含む２つの線分Ｌ２が調整方向Ｄａと直交する一対のピン６６を、スライダ７１を位置決め方向Ｄｐに横切って設けたガイド溝７１ｃに挿入するとともに、そのスライダ７１をコイルバネ７２からの調整押圧力Ｆａにより調整方向Ｄａの正側へと常時押圧していることから、一対のピン６６とガイド溝７１ｃとの間に隙間が生じた場合であっても、ガイド溝７１ｃの調整方向Ｄａ負側のガイド面７１ｈと一対のピン６６（その外周面）とを調整方向Ｄａに直交する面に沿って宛がうことができるので、一対のピン６６とガイド溝７１ｃとの大きさが高い精度とされていなくても、それらの相対的な移動方向を位置決め方向Ｄｐへと案内することができる。
【０１０７】
レンズ鏡胴１３（撮像装置１０）では、一対のピン６６とガイド溝７１ｃとの間に隙間が生じた場合であっても、ガイド溝７１ｃの調整方向Ｄａ負側のガイド面７１ｈと一対のピン６６（その外周面）とを調整方向Ｄａに直交する面に沿って宛がうことができることから、一対のピン６６をガイド溝７１ｃ内に隙間なく嵌め込ませる設定とする必要がないので、一対のピン６６とガイド溝７１ｃとの大きさを高い精度としなくても、大きさ寸法のバラつきに起因して一対のピン６６がガイド溝７１ｃに圧入するものとなってそれらの間に大きな摩擦力が生じることを防止することができ、それらの相対的な移動方向を位置決め方向Ｄｐへと円滑に案内することができる。
【０１０８】
レンズ鏡胴１３（撮像装置１０）では、コイルバネ７２からの調整押圧力Ｆａにより調整方向Ｄａの正側へと常時押圧されたスライダ７１のガイド溝７１ｃの調整方向Ｄａに直交するガイド面７１ｈを、第５レンズ保持枠４５の双方の接線を含む２つの線分Ｌ２が調整方向Ｄａと直交する一対のピン６６に宛がうことにより、その押圧機構部６２と繰出機構部６１とで第５レンズ保持枠４５を支持するものであることから、その第５レンズ保持枠４５を適切に調整方向Ｄａで挟むことができる。このため、第５レンズ用支持枠４６に対する第５レンズ保持枠４５すなわち第５レンズ群３５の調整可能な方向を確実に調整方向Ｄａとすることができる。この観点から、１対のピン６６の間隔は、可能な限り大きくすることが望ましい。
【０１０９】
レンズ鏡胴１３（撮像装置１０）では、１対のガイド面７１ｈ（ガイド溝７１ｃ）を調整方向Ｄａに直交させるとともに、一対のピン６６の双方の接線を含む２つの線分Ｌ２を調整方向Ｄａに直交させていることから、１対のガイド面７１ｈと一対のピン６６との調整方向Ｄａに直交する方向への相対的な変位に拘らず、その１対のガイド面７１ｈと一対のピン６６とを調整方向Ｄａで宛がうことができる。このため、一方の調整方向Ｄａに対応する押圧機構部６２では、コイルバネ７２からの拘束押圧力Ｆｒによりスライダ７１が一方の調整方向Ｄａに直交する方向へと位置決めされても、他方の繰出機構部６１と押圧機構部６２とにより他方の調整方向Ｄａでの第５レンズ保持枠４５の位置が調整されても、スライダ７１を介して付与する調整押圧力Ｆａを一方の調整方向Ｄａで第５レンズ保持枠４５に作用させることができ、より適切に調芯することができる。
【０１１０】
レンズ鏡胴１３（撮像装置１０）では、双方の接線を含む２つの線分Ｌ２を調整方向Ｄａに直交させた一対のピン６６により、スライダ７１のガイド溝７１ｃ（その１対のガイド面７１ｈ）と調整方向Ｄａに直交する面に沿って宛がうことを可能としていることから、一対のピン６６（その外周面）とガイド面７１ｈとの接触面積を極めて小さなものとすることができ、互いの間に生じ得る摩擦抵抗を小さなものとすることができる。このため、１対のガイド面７１ｈおよび一対のピン６６では、コイルバネ７２からの調整押圧力Ｆａに伴い繰出機構部６１との協働により調整方向Ｄａで第５レンズ保持枠４５を適切に支持することができるとともに、位置決め方向Ｄｐへの相対的な移動を円滑なものとすることができる。
【０１１１】
レンズ鏡胴１３（撮像装置１０）では、押圧機構部６２のスライダ７１が、ガイド溝７１ｃで規定する１対のガイド面７１ｈを、第５レンズ保持枠４５に設けた一対のピン６６に調整方向Ｄａで接触させることにより、第５レンズ保持枠４５を支持するものであることから、簡易な構成で押圧機構部６２における支持位置として機能させることができるとともにガイド機構部として機能させることができる。
【０１１２】
レンズ鏡胴１３（撮像装置１０）では、第５レンズ用支持枠４６による第５レンズ保持枠４５（第５レンズ群３５）を支持した状態を維持したまま、第５レンズ群３５のレンズ光軸に直交する面に沿う方向での当該第５レンズ群３５の位置を調整することができることから、調芯作業が完了した後にその調芯状態を維持すべく接着剤等で固定する必要がないので、高精度に調芯された第５レンズ群３５を得ることができる。換言すると、レンズ鏡胴１３（撮像装置１０）では、第５レンズ用支持枠４６内において、第５レンズ保持枠４５（第５レンズ群３５）の保持状態を調節することができるので、高精度に調芯された第５レンズ群３５を得ることができる。
【０１１３】
したがって、本発明に係るレンズ鏡胴１３では、高い精度で光軸補正レンズ群（上記した実施例では第５レンズ群３５）を調芯することができる。
【０１１４】
なお、上記した実施例では、本発明に係るレンズ鏡胴１３について説明したが、少なくとも１枚以上のレンズからなる光軸補正レンズ群が設けられたレンズ鏡胴であって、前記光軸補正レンズ群を保持するレンズ保持部と、撮影光軸に直交する方向へと移動可能に該レンズ保持部を内側で支持する支持部と、該支持部に対する前記レンズ保持部の撮影光軸に直交する方向での位置を調整するレンズ調芯機構と、を備え、該レンズ調芯機構は、撮影光軸に直交する面上で撮影光軸を通る調整方向で前記レンズ保持部を挟んで支持する繰出機構部と押圧機構部とを有し、前記繰出機構部は、前記支持部に設けられ、前記レンズ保持部を支持する支持位置を前記調整方向で変位自在であり、前記押圧機構部は、前記レンズ保持部を支持すべく前記調整方向で変位可能に前記支持部に設けられた変位部材と、該変位部材に前記調整方向で前記繰出機構部へ向けた調整押圧力を付与する調整押圧部材と、を有し、該調整押圧部材は、前記調整押圧力とともに、前記調整方向に直交する方向で前記変位部材を前記支持部へと押し当てる拘束押圧力を前記変位部材に付与するレンズ鏡胴であればよく、上記した実施例に限定されるものではない。
【０１１５】
また、上記した実施例では、第５レンズ群３５を調芯可能とする構成とされていたが、他のレンズ群（例えば、上記した実施例の第１レンズ群３１から第４レンズ群３４）であってもよく、上記した実施例に限定されるものではない。
【０１１６】
さらに、上記した実施例では、光軸補正レンズ群としての第５レンズ群３５に加えて、第１レンズ群３１から第４レンズ群３４を用いて撮影光学系を構成するものとされていたが、レンズ調芯機構を介してレンズ保持枠が調芯可能に支持枠に支持されて構成される光軸補正レンズ群を含むものであれば、他のレンズ群を有するものであってもよく、上記した実施例に限定されるものではない。
【０１１７】
上記した実施例では、レンズ調芯機構６０において、調整方向Ｄａとして撮影光軸ＯＡに直交する面上で互いに直交する第１調整方向Ｄａ１と第２調整方向Ｄａ２とを設定していたが、第１調整方向Ｄａ１と第２調整方向Ｄａ２とは互いに交わるものであればよく、上記した実施例に限定されるものではない。このような構成とする場合、第１押圧機構部６２１における位置決め方向Ｄｐ（ガイド機構部による案内方向（ガイド溝７１ｃのスライダ７１を横切る方向および一対のピン６６を並列させる方向））を第２調整方向Ｄａ２と平行とするとともに、第２押圧機構部６２２における位置決め方向Ｄｐを第１調整方向Ｄａ１と平行とする必要がある。
【０１１８】
上記した実施例では、押圧機構部６２において、スライダ受部６４（第５レンズ用支持枠４６）の被押当部６４ｃを傾斜面とするとともに、スライダ７１の拘束押圧部７１ｄの結像面側を曲面７１ｉとしていたが、上述したように拘束押圧力Ｆｒの一部を位置決め方向Ｄｐでスライダ受部６４の位置決め押当部７１ｅへ向けた分力（Ｆｐ）としてスライダ７１に作用させるものであれば、拘束押圧部７１ｄを傾斜面とするとともに被押当部６４ｃを曲面としてもよく、上記した実施例に限定されるものではない。
【０１１９】
上記した実施例では、スライダ７１の位置決め方向Ｄｐ正側の位置決め押当部７１ｅがＶ字形状の凹みを形成するものとされるとともにスライダ受部６４の位置決め部６４ｄが曲面状を呈するものとされ、その位置決め部６４ｄを位置決め押当部７１ｅの凹みの間で受け入れることを可能としていたが、位置決め押当部７１ｅと位置決め部６４ｄとが位置決め方向Ｄｐで接触することでスライダ受部６４（第５レンズ用支持枠４６）に対するスライダ７１の位置決め方向Ｄｐへの変位を止めるものであれば、例えば、位置決め押当部７１ｅと位置決め部６４ｄとは、互いに平面で構成されていてもよく、一方が曲面とされていてもよく、一方が尖端状とされていてもよく、上記した実施例に限定されるものではない。
【０１２０】
上記した実施例では、スライダ７１の位置決め方向Ｄｐ正側の位置決め押当部７１ｅが位置決め方向Ｄｐおよび撮影光軸方向Ｄｏを含む断面で見て撮影光軸方向Ｄｏで対を為す傾斜面７１ｊでＶ字形状の凹みを形成するものとされるとともに、スライダ受部６４において位置決め押当部７１ｅと位置決め方向Ｄｐで対向する位置決め部６４ｄが曲面状を呈するものとされていたが、位置決め押当部７１ｅを曲面状（半球状やＲ形状）とするとともに、位置決め部６４ｄを位置決め方向Ｄｐおよび撮影光軸方向Ｄｏを含む断面で見て撮影光軸方向Ｄｏで対を為す傾斜面でＶ字形状の凹みを形成するものとしてもよく、上記した実施例に限定されるものではない。
【０１２１】
上記した実施例では、レンズ鏡胴１３は、撮像素子２２および光学素子３７（図３参照）とともにカメラ本体１１に対して着脱自在なレンズ鏡胴ユニットとして構成されていたが、カメラ本体１１に固定される構成であってもよく、撮像素子２２および光学素子３７（図３参照）とは別にカメラ本体（１１）に対して着脱自在な構成とされていてもよく、上記した実施例に限定されるものではない。
【０１２２】
上記した実施例では、電子機器の一例として撮像装置１０について説明しているが、光軸補正レンズを保持するレンズ保持部が、レンズ調芯機構を介して支持されることにより、支持部に対して撮影光軸方向に直交する方向に調整可能とされるものであれば、いわゆるＰＤＡ（ｐｅｒｓｏｎａｌ  ｄａｔａ  ａｓｓｉｓｔａｎｔ）や携帯電話機等の携帯型情報端末装置としての電子機器や画像入力装置としての電子機器であっても本願発明に係るレンズ鏡胴（レンズ調芯機構）を適用することができ、上記した実施例に限定されるものではない。これは、上述した電子機器では、カメラ機能を組み込んだものが近年登場しており、そのような電子機器も外観は若干異にするものの撮像装置１０（レンズ鏡胴１３）と実質的に全く同様の機能・構成を含んでいるものが多いことによる。
【０１２３】
以上、本発明のレンズ鏡胴を実施例に基づき説明してきたが、具体的な構成については実施例に限られるものではなく、本発明の要旨を逸脱しない限り、設計の変更や追加等は許容される。また、前記構成部材の数、位置、形状等は実施例に限定されず、本発明を実施する上で好適な数、位置、形状等にすることができる。
【符号の説明】
【０１２４】
１０  （撮像装置の一例としての）撮像装置
１３  レンズ鏡胴
３５  （光軸補正レンズ群の一例としての）第５レンズ群
４５  （レンズ保持部の一例としての）第５レンズ保持枠
４６  （支持部の一例としての）第５レンズ用支持枠
６０  レンズ調芯機構
６１  繰出機構部
６２  押圧機構部
６４ｃ  被押当部
６４ｄ  位置決め部
６８  光軸側押圧部材
７１  （変位部材の一例としての）スライダ
７１ｃ  （第１ガイド機構部および第２ガイド機構部の一例としての）ガイド溝
７１ｄ  拘束押圧部
７１ｅ  位置決め押当部
７１ｈ  （第１ガイド機構部および第２ガイド機構部の一例としての）ガイド面
７１ｉ  曲面
７１ｊ  傾斜面
７２  （調整押圧部材の一例としての）コイルバネ
６１１  第１繰出機構部
６１２  第２繰出機構部
６２１  第１押圧機構部
６２２  第２押圧機構部
６６１  （第１ガイド機構部の一例としての）第１ピン
６６２  （第２ガイド機構部の一例としての）第２ピン
７１１  （変位部材の一例としての）第１スライダ
７１２  （変位部材の一例としての）第２スライダ
Ｄａ  調整方向
Ｄａ１  第１調整方向
Ｄａ２  第２調整方向
Ｄｏ  撮影光軸方向
Ｄｐ  位置決め方向
Ｆａ  調整押圧力
Ｆｒ  拘束押圧力
ＯＡ  撮影光軸
【先行技術文献】
【特許文献】
【０１２５】
【特許文献１】特開２００８−１１１９３２号公報
【図１】
2014010213.tif 000003
【図２】
2014010213.tif 000004
【図３】
2014010213.tif 000005
【図４】
2014010213.tif 000006
【図５】
2014010213.tif 000007
【図６】
2014010213.tif 000008
【図７】
2014010213.tif 000009
【図８】
2014010213.tif 000010
【図９】
2014010213.tif 000011
【図１０】
2014010213.tif 000012
【図１１】
2014010213.tif 000013
【図１２】
2014010213.tif 000014
【図１３】
2014010213.tif 000015
【図１４】
2014010213.tif 000016
【図１５】
2014010213.tif 000017
【図１６】
2014010213.tif 000018